(57)【要約】  とりわけ、無線ネットワーククレジットに関する申出に関連付けられたコンテンツアイテムが受信される。その無線ネットワーククレジットは、１つまたは複数の従量制無線ネットワークの無料または割引のデータ使用量と引換可能である。選択入力に応答して、コンテンツアイテムがユーザに提示される。コンテンツアイテムの提示を反映するデータが、リモートサーバに送信されて、リモートサーバに、口座にモバイルブロードバンドクレジットを追加させる。
2015520454.tif 000002
【特許請求の範囲】
【請求項１】
コンピュータ実装された方法であって、
無線ネットワーククレジットに関する申出に関連付けられたコンテンツアイテムを受信するステップであって、前記無線ネットワーククレジットは、１以上の従量制無線ネットワークの無料または割引のデータ使用量と引換可能である、受信ステップと、
選択入力に応答して、前記コンテンツアイテムをユーザに提示する、提示ステップと、
前記コンテンツアイテムの提示を反映するデータをリモートサーバに送信するステップによって、前記リモートサーバが、モバイルブロードバンドクレジットを口座に追加する、送信ステップとを含む、方法。
【請求項２】
無線ネットワーク事業者サーバによって前記口座における無線ネットワーククレジットの前記引換を生じさせるデータを、リモートサーバに送信するステップをさらに含む、請求項１に記載の方法。
【請求項３】
前記無線ネットワーククレジットは、既存の無線ネットワークデータプランの料金の割引として引き換えられる、請求項２に記載の方法。
【請求項４】
前記無線ネットワーククレジットは、ペイ・パー・ビュー・コンテンツまたは加入コンテンツにアクセスするために引き換えられる、請求項２に記載の方法。
【請求項５】
前記無線ネットワーククレジットは、無線ネットワークデータプランをアップグレードするために引き換えられる、請求項２に記載の方法。
【請求項６】
前記無線ネットワーククレジットは、前記ユーザに関連付けられた少なくとも２つの無線ネットワークデータプランにおいて引き換えられる、請求項２に記載の方法。
【請求項７】
前記口座から、異なるユーザに関連付けられた第２の口座への無線ネットワーククレジットの移転を生じさせるデータを、リモートサーバに送信するステップをさらに含む、請求項１に記載の方法。
【請求項８】
前記無線ネットワーククレジットの移転は、ソーシャルネットワークによって促進される、請求項７に記載の方法。
【請求項９】
前記コンテンツアイテムは、登録フォームを含み、無線モバイルクレジットの申出は、登録トランザクションの完了を条件とする、請求項１に記載の方法。
【請求項１０】
前記コンテンツアイテムは、評価フォームまたはコメントフォームを含み、無線モバイルクレジットの申出は、コメントまたは評価の提出を条件とする、請求項１に記載の方法。
【請求項１１】
無線ネットワークデータプランの使用量を監視するステップをさらに含む、請求項１に記載の方法。
【請求項１２】
前記無線ネットワークデータプランの使用量がしきい値を超えたことが検出されるに際し、無線ネットワーク事業者サーバによって前記口座における無線ネットワーククレジットの前記引換を生じさせるデータを、リモートサーバに自動的に送信するステップをさらに含む、請求項１１に記載の方法。
【請求項１３】
前記無線ネットワークデータプランの使用量がしきい値を超えたことが検出されるに際
し、前記無線ネットワークデータプランにおける無線ネットワーククレジットの引換を示唆するアラートメッセージを提示するステップをさらに含む、請求項１１に記載の方法。
【請求項１４】
前記コンテンツアイテムは、従量制無線ネットワークを介して受信され、前記コンテンツアイテムを受信するのに要求されるデータ使用量は、無料である、請求項１に記載の方法。
【請求項１５】
前記コンテンツアイテムは、モバイルアプリケーションによって提供されるユーザインタフェースにおいて提示される、請求項１に記載の方法。
【請求項１６】
前記コンテンツアイテムは、ウェブブラウザを使用してアクセスされるウェブサイトによって提供されるユーザインタフェースにおいて提示される、請求項１に記載の方法。
【請求項１７】
前記提示ステップは、ディスプレイに前記コンテンツアイテムを表示するステップを含む、請求項１に記載の方法。
【請求項１８】
前記提示ステップは、前記コンテンツアイテム遠隔デバイスを表示するブラウザを実行している遠隔デバイスにネットワークを介して、前記コンテンツアイテムを指定するデータを送信するステップを含む、請求項１に記載の方法。
【請求項１９】
１以上の処理デバイスによって実行されるコンピュータ実装された方法であって、
いくつかのコンテンツアイテムを指定するデータを１以上のリモートサーバから受信するステップであって、各コンテンツアイテムは、無線ネットワーククレジットに関する申出に関連付けられ、前記無線ネットワーククレジットは、１以上の従量制無線ネットワークの無料または割引のデータ使用量と引換可能である、ステップと、
前記申出のうちの１以上の申出をユーザに提示するために選択するステップと、
選択された前記１以上の申出を反映するデータを第１のユーザデバイスに送信するステップとを含む、方法。
【請求項２０】
前記いくつかのコンテンツアイテムのうちの１つに関連付けられた入札を、無線ネットワーククレジットに関する申出に転換するための転換率を決定するステップをさらに含む、請求項１９に記載の方法。
【請求項２１】
前記コンテンツアイテムの提示を反映するデータを前記第１のユーザデバイスから受信するステップと、
前記コンテンツアイテムに関連付けられた申出のモバイルブロードバンドクレジットを口座に追加するステップとをさらに含む、請求項１９に記載の方法。
【請求項２２】
第２のコンテンツアイテムの提示を反映するデータを第２のユーザデバイスから受信するステップと、
前記第２のコンテンツアイテムに関連付けられた申出の前記モバイルブロードバンドクレジットを口座に追加するステップとをさらに含む、請求項２１に記載の方法。
【請求項２３】
前記ユーザに関する無線ネットワークデータプランにおける前記ユーザに関する口座から無線ネットワーククレジットの引き換えを生じさせるデータを、無線ネットワーク事業者サーバに送信するステップをさらに含む、請求項１９に記載の方法。
【請求項２４】
前記無線ネットワーククレジットは、既存の無線ネットワークデータプランの料金の割引として引き換えられる、請求項２３に記載の方法。
【請求項２５】
前記無線ネットワーククレジットは、ペイ・パー・ビュー・コンテンツまたは加入コンテンツにアクセスするために引き換えられる、請求項２３に記載の方法。
【請求項２６】
前記無線ネットワーククレジットは、前記無線ネットワークデータプランをアップグレードするために引き換えられる、請求項２３に記載の方法。
【請求項２７】
前記ユーザに関する少なくとも２つの無線ネットワークデータプランにおける前記ユーザに関する口座から無線ネットワーククレジットの引き換えを生じさせるデータを、少なくとも２つの無線ネットワーク事業者サーバに送信するステップをさらに含む、請求項１９に記載の方法。
【請求項２８】
無線ネットワーククレジットは、前記ユーザに関する口座と、異なるユーザに関する第２の口座との間で移転される、請求項１９に記載の方法。
【請求項２９】
前記ユーザに無線ネットワークデータプランを提供する無線ネットワークプロバイダから前記ユーザについてのコンテキストデータを受信するステップをさらに含む、請求項１９に記載の方法。
【請求項３０】
前記ユーザに提示するための申出の選択は、前記ユーザについての前記コンテキストデータに基づく、請求項２９に記載の方法。
【請求項３１】
前記１以上の申出は、前記リモートサーバのうちの１つから受信されたキャンペーンパラメータに部分的に基づいて選択される、請求項１９に記載の方法。
【請求項３２】
モバイルネットワーク事業者に関する引換ポリシーであって、前記モバイルネットワーク事業者によって提供されるモバイルデータプランにおいて引き換えられるクレジットの量の制限を含む引換ポリシーを定義するパラメータを受信するステップをさらに含む、請求項１９に記載の方法。
【請求項３３】
前記第１のユーザデバイスが、無線ネットワーククレジットを引き換えるために適格であることを検証するステップをさらに含む、請求項１９に記載の方法。
【発明の詳細な説明】
【技術分野】
【０００１】
本発明は、ユーザが無線ネットワーククレジットを獲得し、モバイルデータプランにおいてそれらのクレジットを引き換えることを可能にする価値交換プラットフォームに関する。
【背景技術】
【０００２】
ほんの数年前のワークステーションより強力なモバイルデバイスの登場、および固定回線の対応する技術より高速なセルラ技術の導入とともに、モバイルコンピューティングは、コンテンツを消費するための好まれる手段となっており、大量のデータがセルラネットワークを介して伝送されることに寄与するとともに、速いペースで成長している。さらなるケーブルを敷設することによって拡大され得る固定の有線ネットワークとは異なり、無線ネットワーク容量は、地域内の共有される無線媒体の容量によって制限される。このため、無線ネットワーク容量は、利用可能な周波数の有限のセット、および各ヘルツによって伝送され得るビット数を制限する物理の法則の直接の帰結として切迫的に限られたリソースである。この両方の所見が合わさることにより、無線ネットワーク容量の需要が供給を急速に超える状況が生じる。
【発明の概要】
【発明が解決しようとする課題】
【０００３】
モバイル事業者（すなわち、無線ネットワークの事業者）が、費用を事業者の加入者に転嫁することができずに、資本を費やして、スペクトル周波数に対する権利を獲得し、事業者の無線ネットワークを介してますます増加する量のトラフィックを伝送するネットワークインフラストラクチャを構築している。この維持困難な状況が、電気通信業界を、無制限の価格設定から階層型価格設定に移ることを強制してきた。しかし、階層型価格設定は、移動する、絶えず動き回る消費を制限し、さらに、加入者が加入者のデータ限度に不可避的に達すると、すなわち、加入者のデータ割り当てより多くを消費すると、超過（ｏｖｅｒａｇｅ）をもたらすので、満足のいく、費用対効果の大きいソリューションではない。例として、第４世代セルラ技術を介してモバイルタブレット上でＨＤで２時間の映画をストリーミングすることは、１ヶ月分としてモバイル事業者によって提供されるほとんどの最高階層より大きいデータ使用量をもたらす。加入者が、追加の費用なしにさらなるモバイルブロードバンドを要望する一方で、モバイル事業者は、事業者のネットワークにかかるより多くの負荷を見込み、事業者のインフラストラクチャに投資しつづけるのに増分収益を必要とする。
【課題を解決するための手段】
【０００４】
一般に、或る態様において、無線ネットワーククレジットに関する申出に関連付けられたコンテンツアイテムが受信される。その無線ネットワーククレジットは、１つまたは複数の従量制無線ネットワークの無料または割引のデータ使用量と引換可能である。選択入力に応答して、コンテンツアイテムをユーザに提示する。コンテンツアイテムの提示を反映するデータを、リモートサーバに送信して、リモートサーバが、モバイルブロードバンドクレジットを口座に追加する。
【０００５】
実施例は、以下の特徴のうちの１つまたは複数を含むことが可能である。無線ネットワーク事業者サーバによって口座における無線ネットワーククレジットの引き換えを生じさせるデータを、リモートサーバに送信する。その無線ネットワーククレジットは、既存の無線ネットワークデータプランの料金の割引として引き換えられる。その無線ネットワーククレジットは、ペイ・パー・ビュー・コンテンツまたは加入コンテンツにアクセスする
ために引き換えられる。その無線ネットワーククレジットは、無線ネットワークデータプランをアップグレードするために引き換えられる。その無線ネットワーククレジットは、ユーザに関連付けられた少なくとも２つの無線ネットワークデータプランにおいて引き換えられる。口座から、異なるユーザに関連付けられた第２の口座への無線ネットワーククレジットの移転を生じさせるデータが、リモートサーバに送信される。無線ネットワーククレジットの移転は、ソーシャルネットワークによって促進される。コンテンツアイテムは、登録フォームを含み、無線モバイルクレジットの申出は、登録トランザクションの完了を条件とする。コンテンツアイテムは、評価フォームまたはコメントフォームを含み、無線モバイルクレジットの申出は、コメントまたは評価の提出を条件とする。無線ネットワークデータプランの使用量が監視される。無線ネットワークデータプランの使用量がしきい値を超えたことが検出されるに際し、無線ネットワーク事業者サーバによって口座における無線ネットワーククレジットの引換を生じさせるデータが、リモートサーバに自動的に送信される。無線ネットワークデータプランの使用量がしきい値を超えたことが検出されるに際し、無線ネットワークデータプランにおける無線ネットワーククレジットの引換を示唆するアラートメッセージが提示される。コンテンツアイテムは、従量制無線ネットワークを介して受信され、コンテンツアイテムを受信するのに要求されるデータ使用量は、無料である。コンテンツアイテムは、モバイルアプリケーションによって提供されるユーザインタフェースにおいて提示される。コンテンツアイテムは、ウェブブラウザを使用してアクセスされるウェブサイトによって提供されるユーザインタフェースにおいて提示される。コンテンツアイテムを提示することは、ディスプレイ上にコンテンツアイテムを表示することを含む。コンテンツアイテムを提示することは、コンテンツアイテム遠隔デバイスを表示するブラウザを実行している遠隔デバイスにネットワークを介して、コンテンツアイテムを指定するデータを送信することを含む。
【０００６】
一般に、或る態様において、いくつかのコンテンツアイテムを指定するデータが１つまたは複数のリモートサーバから受信される。各コンテンツアイテムは、無線ネットワーククレジットに関する申出に関連付けられ、さらにその無線ネットワーククレジットは、１つまたは複数の従量制無線ネットワークの無料または割引のデータ使用量と引換可能である。それらの申出のうちの１つまたは複数が、ユーザに提示するために選択される。その選択された１つまたは複数の申出を反映するデータが、第１のユーザデバイスに送信される。
【０００７】
実施例は、以下の特徴のうちの１つまたは複数を含むことが可能である。いくつかのコンテンツアイテムのうちの１つに関連付けられた入札を、無線ネットワーククレジットに関する申出に転換するための転換率が決定される。コンテンツアイテムの提示を反映するデータが、第１のユーザデバイスから受信される。コンテンツアイテムに関連付けられた申出のモバイルブロードバンドクレジットが、口座に追加される。第２のコンテンツアイテムの提示を反映するデータが、第２のユーザデバイスから受信される。第２のコンテンツアイテムに関連付けられた申出のモバイルブロードバンドクレジットが、口座に追加される。ユーザに関する無線ネットワークデータプランにおけるユーザに関する口座から無線ネットワーククレジットの引き換えを生じさせるデータが、無線ネットワーク事業者サーバに送信される。その無線ネットワーククレジットは、既存の無線ネットワークデータプランの料金の割引として引き換えられる。その無線ネットワーククレジットは、ペイ・パー・ビュー・コンテンツまたは加入コンテンツにアクセスするために引き換えられる。その無線ネットワーククレジットは、無線ネットワークデータプランをアップグレードするために引き換えられる。ユーザに関する少なくとも２つの無線ネットワークデータプランにおけるユーザに関する口座からの無線ネットワーククレジットの引き換えを生じさせるデータが、少なくとも２つの無線ネットワーク事業者サーバに送信される。無線ネットワーククレジットは、ユーザに関する口座と、異なるユーザに関する第２の口座との間で移転される。ユーザに無線ネットワークデータプランを提供する無線ネットワークプロバ
イダからユーザについてのコンテキストデータが受信される。ユーザに提示するための申出の選択は、ユーザについてのコンテキストデータに基づく。それらの申出のうちの１つまたは複数が、リモートサーバのうちの１つから受信されたキャンペーンパラメータに部分的に基づいて選択される。モバイルネットワーク事業者に関する引換ポリシーであって、モバイルネットワーク事業者によって提供されるモバイルデータプランにおいて引き換えられ得るクレジットの量の制限を含む引換ポリシーを定義するパラメータが、受信される。第１のユーザデバイスが、無線ネットワーククレジットを引き換えるために適格であることが検証される。
【０００８】
一般に、或る態様において、無線データ通信サービスと引き換えられることが可能な対応する価値と交換に、ユーザが定義されたアクティビティに携わる申出が、ワイヤレスデバイス上でユーザに提示される。ユーザは、それらの定義されたアクティビティのうちの１つに携わることを可能にされ、その定義されたアクティビティに携わるユーザに基づいて、対応する価値をユーザのクレジットと交換する際に役立つ情報が生成される。
【０００９】
実施例は、以下の特徴のうちの１つまたは複数を含むことが可能である。アクティビティは、ワイヤレスデバイス上で実行されているアプリケーションに関する達成を含む。アクティビティには、コンテンツの提示を観察すること、またはコンテンツの提示と対話することが含まれる。コンテンツは、広告を含む。ユーザにそれらの申出を提示することは、アクティビティ、クレジットと交換される価値の対応する量、およびそれらの申出の各申出のスポンサの識別、を指定することを含む。それらの申出は、異なる２つ以上のスポンサから集約される。スポンサは、広告主を含む。それらの申出は、２つ以上の広告ネットワークから集約される。それらの申出は、ユーザについて収集された、または学習された情報に基づいて選択される。それらの申出は、ワイヤレスデバイス上で実行されているアプリケーションにおいてユーザに提示される。そのアプリケーションは、申出の提示および実装に専用である。そのアプリケーションは、それらの申出を、既存の他の機能のアドオンとして提示する。そのアプリケーションは、ウェブサイト、またはウェブサイトに対するアドオン、または業者によってホストされるアプリケーションを含む。その業者は、コンテンツプロバイダを含む。その業者は、発行者を含む。そのアプリケーションまたはアドオンは、ロイヤリティプログラム（ｌｏｙａｌｔｙ  ｐｒｏｇｒａｍ）機能を含む。生成された情報は、サーバに通信されて、対応する価値をユーザのクレジットと交換することを可能にする。ユーザのクレジットと交換された価値の量についての情報が、ユーザに提示される。ユーザは、クレジットと交換された価値を無線データ通信サービスと引き換えることができる。異なる２つ以上の無線データプランからの無線データ通信サービスが、引き換えられることが可能である。ユーザは、価値の引き換えのための１つまたは複数の無線データプランを予め認証する、または予め許可することができる。価値は、複数のステップで引き換えられ得る。ユーザは、ソーシャルネットワークに接続して、ユーザのアクティビティについての情報を共有することができる。ユーザが、価値と交換に携わることができる定義されたアクティビティには、ユーザが参加するソーシャルネットワークと関係するアクティビティが含まれる。ユーザは、価値の一部または全部を別の業者に移転することができる。ユーザのデータプランに関連付けられた情報が、監視される。その情報には、残高、料金請求サイクル、または使用量情報のうちの少なくとも１つが含まれる。監視される情報は、解析される。データプランの不足が、監視される情報に基づいて予測される。ユーザは、監視される情報に基づいてアクションを行うように助言される。価値の少なくともいくらかが、その解析に基づいてデータプランに自動的に適用される。ユーザは、データプランに対する価値の適用を左右するプリファレンスを指定することができる。価値は、ユーザの口座のクレジットと交換される。ユーザの口座は、独立した２つ以上の業者に関するユーザのアクティビティにわたる。ユーザの口座は、単一の業者に関するユーザのアクティビティに限定される。
【００１０】
一般に、或る態様において、ユーザインタフェースを提供する既存のアプリケーション、アプレット、ウェブページ、ブラウザ、または他の実行形式プログラムと一緒に使用されるようにアドオン機構が提供される。そのアドオン機構は、モバイルデータブロードバンドクレジットの収集、引換、および交換を可能にするモジュールとして実装された提示層を含む。
【００１１】
実施例は、以下の特徴のうちの１つまたは複数を含むことが可能である。それらのモジュールが、実行形式プログラムのユーザインタフェースを介して、バナー、コールアウト（ｃａｌｌｏｕｔ）、および別々のペイン（ｐａｎｅ）のうちの少なくとも１つを提示する。それらのモジュールは、サードパーティアプリケーション上で広告主によって、広告主の広告が、それらの広告を見る、またはそれらの広告と対話するユーザに対してモバイルデータクレジットを獲得するのに適格になるように使用可能である。
【００１２】
一般に、或る態様において、独立した２つ以上のソースから、ユーザが、ワイヤレスデバイス上で定義されたアクティビティに携わることと交換に、無線データ通信サービスと引き換えにされることが可能な価値をユーザに与える、ワイヤレスデバイスのユーザに対するソースによる申出を表す情報が、受信される。
【００１３】
実施例は、以下の特徴のうちの１つまたは複数を含むことが可能である。それらの申出の間で選択が行われ、選択された申出が、ユーザに提示されるようにワイヤレスデバイスに配信されるように集約される。ソースは、広告主を含む。定義されたアクティビティには、広告をユーザに提示させることが含まれる。それらの申出は、ユーザについての情報に基づいて選択され、集約される。その情報には、無線事業者によって提供される情報が含まれる。ソースによってそれらの申出に属する値打ちと、価値と交換される無線データ通信サービスに属する値打ちの間の転換が、管理される。
【００１４】
一般に、或る態様において、サーバ上で、ワイヤレスデバイスのユーザに関する口座が保持される。ワイヤレスデバイスのユーザのアクティビティに属することが可能な無線データ通信サービスと引き換えられることが可能な価値のクレジットまたはデビットについての情報が受信される。トランザクションは、その受信された情報に基づいてそれらの口座に記入される。
【００１５】
一般に、或る態様において、サーバで、通信ネットワークを介して、独立した２つ以上の無線ネットワーク事業者を相手にした、それらの事業者の加入者のデータプランに関する対話が行われる。サーバから、（ａ）事業者によるサービスを受けるワイヤレスデバイスのユーザの事前定義されたアクティビティに基づいて、ユーザによって蓄積され、さらに（ｂ）データプランの下で無線通信サービスと交換に無線ネットワーク事業者によって引き換えられる価値を識別する情報が、無線ネットワーク事業者に送信される。
【００１６】
実施例は、以下の特徴のうちの１つまたは複数を含むことが可能である。データプランに関して対話することは、それらの事業者によるユーザの認証または検証を含む。データプランに関して対話することは、引換に関するユーザの適格性の検証を含む。事業者による引換は、リアルタイムで行われる。データプランに関する対話は、それらの事業者から、残高情報または使用量情報を含む、データプランについての情報を取り出すことを含む。データプランに関する対話は、ユーザのコンテキスト属性を取り出すことを含む。データプランに関する対話は、バルク無線データ帯域幅を獲得することを含む。
【００１７】
一般に、或る態様において、無線事業者、広告主、およびコンテンツプロバイダから、（ａ）事業者によるサービスを受けるワイヤレスデバイスのユーザによって、ワイヤレスデバイス上で広告またはコンテンツに関して事前定義されたアクティビティに携わること
によって獲得されることになり、さらに（ｂ）ユーザのために、事業者の無線通信サービスと引換可能となる価値と交換のための条件についての情報が受信され、情報が、価値の獲得および引換に関連して使用されることを可能にする。その情報は、ユーザまたはワイヤレスデバイスが、その価値を引き換えるのに適格となる条件の、事業者による指定を含む。その情報は、適格のユーザによる価値の引換に関する事業者のポリシーの指定を含む。その情報は、広告主またはコンテンツプロバイダによる、スポンサキャンペーンの条件の指定を含む。その情報は、パフォーマンスおよび解析の監視のために使用されることを可能にされる。
【００１８】
一般に、或る態様において、モバイルデバイスのユーザは、広告申出と関わり合うこと、またはモバイルデバイス上で広告を見ることでモバイルデータブロードバンドクレジットを獲得することができる。
【００１９】
一般に、或る態様において、少なくとも１つのモバイルデバイスを含む２つ以上のデバイスのユーザが、それらのデバイスのうちの少なくとも２つのデバイス上で事前定義されたアクティビティに携わることによって、モバイルデータブロードバンドクレジットを獲得することができ、それらのクレジットは、統一されたクレジット口座において計算される。
【００２０】
一般に、或る態様において、場合により、異なる２つの無線通信事業者のデータプランに関連付けられた２つ以上のワイヤレスデバイスのユーザが、それらのデータプランのいずれかからの統一されたクレジット口座において保持されるモバイルデータブロードバンドクレジットを引き換えることができる。
【００２１】
一般に、或る態様において、ユーザは、モバイルデータブロードバンドクレジットを、ユーザのモバイルデバイスに関連付けられた既存のモバイルデータプランに対して引き換えることができ、それらのクレジットは、ユーザが、広告申出と関わり合うこと、またはモバイルデバイス上で広告を見ることによって獲得されている。
【００２２】
一般に、或る態様において、ユーザは、モバイルデータブロードバンドクレジットを、ユーザのモバイルデバイスに関連付けられた既存のモバイルデータプランに対してキャッシュバックの形態で引き換えることができ、それらのクレジットは、ユーザが、広告申出と関わり合うこと、またはモバイルデバイス上で広告を見ることによって獲得されている。
【００２３】
一般に、或る態様において、ユーザは、モバイルデータブロードバンドクレジットを、ペイ・パー・ビュー・コンテンツまたはモバイルコンテンツ加入と引き換えることができ、それらのクレジットは、ユーザが、広告申出と関わり合うこと、またはモバイルデバイス上で広告を見ることによって獲得されている。
【００２４】
一般に、或る態様において、ユーザは、モバイルデータブロードバンドクレジットを別の業者に移転することができ、それらのクレジットは、ユーザが、広告申出と関わり合うこと、またはモバイルデバイス上で広告を見ることによって獲得されており、その別の業者は、その後、それらのクレジットを価値と引き換えることができる。
【００２５】
一般に、或る態様において、ソースが、モバイルデータサービスと交換され得るクレジットを、ワイヤレスデバイスのユーザのために保持される口座に移転することができる。それらのクレジットは、ユーザが、サービスの加入者になること、または別の業者にそれらのサービスを勧めること、またはサービスの継続使用に合意することに応答して、その口座に移転され得る。
【００２６】
一般に、或る態様において、事業者によって提供されるモバイルサービスの加入者、およびそれらのサービスの加入者による使用量についてのコンテキスト情報を表す独立した２つ以上のモバイル事業者データからのデータが受信される。そのデータに基づいて、ワイヤレスデバイスの広告主によってユーザに行われるべき申出が、識別される。広告主のために、申出の提示が、ユーザに行われるようにされる。
【００２７】
一般に、或る態様において、モバイルデータプランの規定およびステータス、ならびにそのプランでのモバイルデータサービスの使用量が、それらのサービスを提供し、そのプランを提案するモバイル事業者から受信された情報に基づいて監視され、利用可能なクレジットについての情報、およびその監視の結果に基づいて、そのプランにおけるサービスと交換に、モバイルデバイスのユーザに属するクレジットを自動的に引き換える。
【００２８】
一般に、或る態様において、モバイルデータプランの規定およびステータス、ならびにそのプランでのモバイルデータサービスの使用量が、それらのサービスを提供し、そのプランを提案するモバイル事業者から受信された情報に基づいて監視される。モバイル事業者は、その監視の結果を使用して、そのプランのアップグレード、またはプロモーションアクティビティのための糸口（ｌｅａｄｓ）の生成を促進することができる。
【００２９】
一般に、或る態様において、モバイル事業者によって提案されるモバイルプランの下で動作するモバイルデバイスのユーザが、モバイルサービスをそのものが使用する事前定義されたアクティビティに携わることによって、モバイルサービスに関するクレジットを獲得し、引き換えるシステムにおいて、事前定義されたアクティビティに要求されるモバイルサービスは、無料で提供される。
【００３０】
一般に、或る態様において、クライアント側インタフェースが、ユーザに公開され、したがって、ユーザは、（ａ）モバイルサービスに関するクレジットが、ユーザが事前定義されたアクティビティに携わることと交換に獲得され得る申出を識別すること、（ｂ）それらのアクティビティに携わることによってそれらのクレジットを獲得すること、（ｃ）それらのクレジットをモバイルサービスと引き換えにすること、および（ｄ）ユーザのクレジットを保持するサーバにおいて口座を管理することができる。クライアントに対するクライアント側インタフェースの公開は、ネイティブモバイルアプリケーション、デスクトップデバイス上のブラウザを介して提示されるウェブサイト、モバイルデバイス上のブラウザを介して提示されるウェブサイト、またはアプリケーションもしくはウェブサイトに関するアドオンサービスライブラリもしくはＳＤＫのうちの少なくとも１つを介して行われる。
【００３１】
一般に、或る態様において、システムが、データ処理装置と、そのデータ処理装置によって実行されたとき、そのデータ処理装置に動作を実行させる命令を記憶している、そのデータ処理装置に結合されたメモリとを含む。無線ネットワーククレジットに関する申出に関連付けられたコンテンツアイテムが受信され、ただし、その無線ネットワーククレジットは、１つまたは複数の従量制無線ネットワークの無料または割引のデータ使用量と引換可能である。選択入力に応答して、コンテンツアイテムがユーザに提示される。コンテンツアイテムの提示を反映するデータが、リモートサーバに送信されて、リモートサーバによってモバイルブロードバンドクレジットを口座に追加させる。
【００３２】
実施例は、以下の特徴のうちの１つまたは複数を含むことが可能である。それらの動作は、無線ネットワーク事業者サーバによる口座における無線ネットワーククレジットの引換を生じさせるデータをリモートサーバに送信することを含む。その無線ネットワーククレジットは、既存の無線ネットワークデータプランの料金の割引として引き換えられる。
その無線ネットワーククレジットは、ペイ・パー・ビュー・コンテンツまたは加入コンテンツにアクセスするために引き換えられる。その無線ネットワーククレジットは、無線ネットワークデータプランをアップグレードするために引き換えられる。その無線ネットワーククレジットは、ユーザに関連付けられた少なくとも２つの無線ネットワークデータプランにおいて引き換えられる。それらの動作は、口座から、異なるユーザに関連付けられた第２の口座への無線ネットワーククレジットの移転を生じさせるデータをリモートサーバに送信することを含む。無線ネットワーククレジットの移転は、ソーシャルネットワークによって促進される。コンテンツアイテムは、登録フォームを含み、無線モバイルクレジット申出は、登録トランザクションの完了を条件とする。コンテンツアイテムは、評価フォームまたはコメントフォームを含み、無線モバイルクレジット申出は、コメントまたは評価の提出を条件とする。それらの動作は、無線ネットワークデータプランの使用量を監視することを含む。それらの動作は、無線ネットワークデータプランの使用量がしきい値を超えたことを検出すると、無線ネットワーク事業者サーバによる口座における無線ネットワーククレジットの引き換えを生じさせるデータをリモートサーバに自動的に送信することを含む。それらの動作は、無線ネットワークデータプランの使用量がしきい値を超えたことを検出すると、無線ネットワークデータプランにおける無線ネットワーククレジットの引き換えを示唆するアラートメッセージを提示することを含む。コンテンツアイテムは、従量制無線ネットワークを介して受信され、コンテンツアイテムを受信するのに要求されるデータ使用量は、無料である。コンテンツアイテムは、モバイルアプリケーションによって提供されるユーザインタフェースにおいて提示される。コンテンツアイテムは、ウェブブラウザを使用してアクセスされるウェブサイトによって提供されるユーザインタフェースにおいて提示される。コンテンツアイテムを提示することは、ディスプレイ上にコンテンツアイテムを表示することを含む。コンテンツアイテムを提示することは、コンテンツアイテム遠隔デバイスを表示するブラウザを実行している遠隔デバイスにネットワークを介して、コンテンツアイテムを指定するデータを送信することを含む。
【００３３】
一般に、或る態様において、システムが、無線ネットワーククレジットに関する申出に関連付けられたコンテンツアイテムを受信するように構成されたネットワークインタフェースを含む。その無線ネットワーククレジットは、１つまたは複数の従量制無線ネットワークの無料または割引のデータ使用量と引換可能である。ディスプレイが、選択入力に応答して、コンテンツアイテムをユーザに提示するように構成される。ネットワークインタフェースが、コンテンツアイテムの提示を反映するデータをリモートサーバに送信して、リモートサーバに、口座にモバイルブロードバンドクレジットを追加させるように構成される。
【００３４】
実施例は、以下の特徴のうちの１つまたは複数を含むことが可能である。無線ネットワーク事業者サーバによる口座における無線ネットワーククレジットの引換を生じさせるデータをリモートサーバに送信するネットワークインタフェースが含められる。その無線ネットワーククレジットは、既存の無線ネットワークデータプランの料金の割引として引き換えられる。その無線ネットワーククレジットは、ペイ・パー・ビュー・コンテンツまたは加入コンテンツにアクセスするために引き換えられる。その無線ネットワーククレジットは、無線ネットワークデータプランをアップグレードするために引き換えられる。その無線ネットワーククレジットは、ユーザに関連付けられた少なくとも２つの無線ネットワークデータプランにおいて引き換えられる。口座から、異なるユーザに関連付けられた第２の口座への無線ネットワーククレジットの移転を生じさせるデータをリモートサーバに送信するネットワークインタフェースが含められる。無線ネットワーククレジットの移転は、ソーシャルネットワークによって促進される。コンテンツアイテムは、登録フォームを含み、無線モバイルクレジット申出は、登録トランザクションの完了を条件とする。コンテンツアイテムは、評価フォームまたはコメントフォームを含み、無線モバイルクレジット申出は、コメントまたは評価の提出を条件とすることを含む。
【００３５】
一般に、或る態様において、モジュールが、無線ネットワークデータプランの使用量を監視する。そのモジュールは、無線ネットワークデータプランの使用量がしきい値を超えたことを検出すると、無線ネットワーク事業者サーバによる口座における無線ネットワーククレジットの引き換えを生じさせるデータをリモートサーバに自動的に送信するための手段を含む。
【００３６】
実施例は、以下の特徴のうちの１つまたは複数を含むことが可能である。そのモジュールは、無線ネットワークデータプランの使用量がしきい値を超えたことを検出すると、無線ネットワークデータプランにおける無線ネットワーククレジットの引き換えを示唆するアラートメッセージを提示するための手段を含む。コンテンツアイテムは、従量制無線ネットワークを介して受信され、コンテンツアイテムを受信するのに要求されるデータ使用量は、無料である。コンテンツアイテムは、モバイルアプリケーションによって提供されるユーザインタフェースにおいて提示される。コンテンツアイテムは、ウェブブラウザを使用してアクセスされるウェブサイトによって提供されるユーザインタフェースにおいて提示される。
【００３７】
一般に、或る態様において、非一時的コンピュータ可読媒体が、処理デバイスによって実行可能な命令を含むソフトウェアを記憶し、それらの命令は、そのように実行されたとき、処理デバイスに、無線ネットワーククレジットに関する申出に関連付けられたコンテンツアイテムを受信することを含む動作を実行させる。その無線ネットワーククレジットは、１つまたは複数の従量制無線ネットワークの無料または割引のデータ使用量と引換可能である。選択入力に応答して、コンテンツアイテムがユーザに提示される。コンテンツアイテムの提示を反映するデータが、リモートサーバに送信されて、リモートサーバに、口座にモバイルブロードバンドクレジットを追加させる。
【００３８】
実施例は、以下の特徴のうちの１つまたは複数を含むことが可能である。それらの動作は、無線ネットワーク事業者サーバによる口座における無線ネットワーククレジットの引換を生じさせるデータをリモートサーバに送信することを含む。その無線ネットワーククレジットは、既存の無線ネットワークデータプランの料金の割引として引き換えられる。その無線ネットワーククレジットは、ペイ・パー・ビュー・コンテンツまたは加入コンテンツにアクセスするために引き換えられる。その無線ネットワーククレジットは、無線ネットワークデータプランをアップグレードするために引き換えられる。その無線ネットワーククレジットは、ユーザに関連付けられた少なくとも２つの無線ネットワークデータプランにおいて引き換えられる。それらの動作は、口座から、異なるユーザに関連付けられた第２の口座への無線ネットワーククレジットの移転を生じさせるデータをリモートサーバに送信することを含む。無線ネットワーククレジットの移転は、ソーシャルネットワークによって促進される。コンテンツアイテムは、登録フォームを含み、無線モバイルクレジット申出は、登録トランザクションの完了を条件とする。コンテンツアイテムは、評価フォームまたはコメントフォームを含み、無線モバイルクレジット申出は、コメントまたは評価の提出を条件とする。それらの動作は、無線ネットワークデータプランの使用量を監視することを含む。それらの動作は、無線ネットワークデータプランの使用量がしきい値を超えたことを検出すると、無線ネットワーク事業者サーバによる口座における無線ネットワーククレジットの引き換えを生じさせるデータをリモートサーバに自動的に送信することを含む。それらの動作は、無線ネットワークデータプランの使用量がしきい値を超えたことを検出すると、無線ネットワークデータプランにおける無線ネットワーククレジットの引き換えを示唆するアラートメッセージを提示することを含む。コンテンツアイテムは、従量制無線ネットワークを介して受信され、コンテンツアイテムを受信するのに要求されるデータ使用量は、無料である。コンテンツアイテムは、モバイルアプリケーションによって提供されるユーザインタフェースにおいて提示される。コンテンツアイテムは
、ウェブブラウザを使用してアクセスされるウェブサイトによって提供されるユーザインタフェースにおいて提示される。コンテンツアイテムを提示することは、ディスプレイ上にコンテンツアイテムを表示することを含む。コンテンツアイテムを提示することは、コンテンツアイテム遠隔デバイスを表示するブラウザを実行している遠隔デバイスにネットワークを介して、コンテンツアイテムを指定するデータを送信することを含む。
【００３９】
一般に、或る態様において、システムが、データ処理装置と、そのデータ処理装置によって実行されたとき、そのデータ処理装置に、１つまたは複数のリモートサーバからいくつかのコンテンツアイテムを指定するデータを受信することを含む動作を実行させる命令を記憶している、そのデータ処理装置に結合されたメモリとを含む。各コンテンツアイテムは、無線ネットワーククレジットに関する申出に関連付けられ、さらにその無線ネットワーククレジットは、１つまたは複数の従量制無線ネットワークの無料または割引のデータ使用量と引換可能である。それらの申出のうちの１つまたは複数が、ユーザに提示するために選択される。その選択された１つまたは複数の申出を反映するデータが、第１のユーザデバイスに送信される。
【００４０】
実施例は、以下の特徴のうちの１つまたは複数を含むことが可能である。それらの動作は、いくつかのコンテンツアイテムのうちの１つに関連付けられた入札を、無線ネットワーククレジットに関する申出に転換するための転換率を決定することを含む。それらの動作は、コンテンツアイテムの提示を反映するデータを第１のユーザデバイスから受信すること、およびコンテンツアイテムに関連付けられた申出のモバイルブロードバンドクレジットを口座に追加することを含む。それらの動作は、第２のコンテンツアイテムの提示を反映するデータを第２のユーザデバイスから受信すること、および第２のコンテンツアイテムに関連付けられた申出のモバイルブロードバンドクレジットを口座に追加することを含む。それらの動作は、ユーザに関する無線ネットワークデータプランにおけるユーザに関する口座からの無線ネットワーククレジットの引き換えを生じさせるデータを無線ネットワーク事業者サーバに送信することを含む。その無線ネットワーククレジットは、既存の無線ネットワークデータプランの料金の割引として引き換えられる。その無線ネットワーククレジットは、ペイ・パー・ビュー・コンテンツまたは加入コンテンツにアクセスするために引き換えられる。その無線ネットワーククレジットは、無線ネットワークデータプランをアップグレードするために引き換えられる。それらの動作は、ユーザに関する少なくとも２つの無線ネットワークデータプランにおけるユーザに関する口座からの無線ネットワーククレジットの引き換えを生じさせるデータを少なくとも２つの無線ネットワーク事業者サーバに送信することを含む。無線ネットワーククレジットが、ユーザに関する口座と、異なるユーザに関する第２の口座との間で移転される。それらの動作は、ユーザに無線ネットワークデータプランを提供する無線ネットワークプロバイダからユーザについてのコンテキストデータを受信することを含む。ユーザに提示するための申出の選択は、ユーザについてのコンテキストデータに基づく。それらの申出のうちの１つまたは複数が、リモートサーバのうちの１つから受信されたキャンペーンパラメータに部分的に基づいて選択される。それらの動作は、モバイルネットワーク事業者によって提供されるモバイルデータプランにおいて引き換えられ得るクレジットの量の制限を含め、モバイルネットワーク事業者に関する引換ポリシーを定義するパラメータを受信することを含む。それらの動作は、第１のユーザデバイスが、無線ネットワーククレジットを引き換えるのに適格であることを検証することを含む。１つまたは複数のリモートサーバからいくつかのコンテンツアイテムを指定するデータを受信するように構成され、ただし、各コンテンツアイテムは、無線ネットワーククレジットに関する申出に関連付けられ、さらにその無線ネットワーククレジットは、１つまたは複数の従量制無線ネットワークの無料または割引のデータ使用量と引換可能であるネットワークインタフェースと、それらの申出のうちの１つまたは複数をユーザに提示するために選択するための手段と、その選択された１つまたは複数の申出を反映するデータを第１のユーザデバイスに送信するように構成されたネッ
トワークインタフェースとを含むシステム。いくつかのコンテンツアイテムのうちの１つに関連付けられた入札を、無線ネットワーククレジットに関する申出に転換するための転換率を決定するモジュールが、含められる。コンテンツアイテムの提示を反映するデータを第１のユーザデバイスから受信するネットワークインタフェースが含められ、さらにコンテンツアイテムに関連付けられた申出のモバイルブロードバンドクレジットを口座に追加するようにモジュールが構成される。第２のコンテンツアイテムの提示を反映するデータを第２のユーザデバイスから受信し、さらに第２のコンテンツアイテムに関連付けられた申出のモバイルブロードバンドクレジットを口座に追加するネットワークインタフェースが含められる。ユーザに関する無線ネットワークデータプランにおけるユーザに関する口座からの無線ネットワーククレジットの引き換えを生じさせるデータを無線ネットワーク事業者サーバに送信するネットワークインタフェースが含められる。その無線ネットワーククレジットは、既存の無線ネットワークデータプランの料金の割引として引き換えられる。その無線ネットワーククレジットは、ペイ・パー・ビュー・コンテンツまたは加入コンテンツにアクセスするために引き換えられる。その無線ネットワーククレジットは、無線ネットワークデータプランをアップグレードするために引き換えられる。ユーザに関する少なくとも２つの無線ネットワークデータプランにおけるユーザに関する口座からの無線ネットワーククレジットの引き換えを生じさせるデータを少なくとも２つの無線ネットワーク事業者サーバに送信するネットワークインタフェースが含められる。無線ネットワーククレジットが、ユーザに関する口座と、異なるユーザに関する第２の口座との間で移転される。ユーザに無線ネットワークデータプランを提供する無線ネットワークプロバイダからユーザについてのコンテキストデータを受信するネットワークインタフェースが含められる。ユーザに提示するための申出の選択は、ユーザについてのコンテキストデータに基づく。それらの申出のうちの１つまたは複数が、リモートサーバのうちの１つから受信されたキャンペーンパラメータに部分的に基づいて選択される。モバイルネットワーク事業者によって提供されるモバイルデータプランにおいて引き換えられ得るクレジットの量の制限を含め、モバイルネットワーク事業者に関する引換ポリシーを定義するパラメータを受信するネットワークインタフェースが含められる。第１のユーザデバイスが、無線ネットワーククレジットを引き換えるのに適格であることを検証するための手段が含められる。
【００４１】
一般に、或る態様において、非一時的コンピュータ可読媒体が、処理デバイスによって実行可能な命令を含むソフトウェアを記憶し、それらの命令は、そのように実行されたとき、処理デバイスに、１つまたは複数のリモートサーバからいくつかのコンテンツアイテムを指定するデータを受信することを含む動作を実行させる。各コンテンツアイテムは、無線ネットワーククレジットに関する申出に関連付けられる。その無線ネットワーククレジットは、１つまたは複数の従量制無線ネットワークの無料または割引のデータ使用量と引換可能である。それらの申出のうちの１つまたは複数が、ユーザに提示するために選択される。その選択された１つまたは複数の申出を反映するデータが、第１のユーザデバイスに送信される。
【００４２】
実施例は、以下の特徴のうちの１つまたは複数を含むことが可能である。それらの動作は、いくつかのコンテンツアイテムのうちの１つに関連付けられた入札を、無線ネットワーククレジットに関する申出に転換するための転換率を決定することを含む。それらの動作は、コンテンツアイテムの提示を反映するデータを第１のユーザデバイスから受信すること、およびコンテンツアイテムに関連付けられた申出のモバイルブロードバンドクレジットを口座に追加することを含む。それらの動作は、第２のコンテンツアイテムの提示を反映するデータを第２のユーザデバイスから受信すること、および第２のコンテンツアイテムに関連付けられた申出のモバイルブロードバンドクレジットを口座に追加することを含む。それらの動作は、ユーザに関する無線ネットワークデータプランにおけるユーザに関する口座からの無線ネットワーククレジットの引き換えを生じさせるデータを無線ネッ
トワーク事業者サーバに送信することを含む。その無線ネットワーククレジットは、既存の無線ネットワークデータプランの料金の割引として引き換えられる。その無線ネットワーククレジットは、ペイ・パー・ビュー・コンテンツまたは加入コンテンツにアクセスするために引き換えられる。その無線ネットワーククレジットは、無線ネットワークデータプランをアップグレードするために引き換えられる。それらの動作は、ユーザに関する少なくとも２つの無線ネットワークデータプランにおけるユーザに関する口座からの無線ネットワーククレジットの引き換えを生じさせるデータを少なくとも２つの無線ネットワーク事業者サーバに送信することを含む。無線ネットワーククレジットが、ユーザに関する口座と、異なるユーザに関する第２の口座との間で移転される。それらの動作は、ユーザに無線ネットワークデータプランを提供する無線ネットワークプロバイダからユーザについてのコンテキストデータを受信することを含む。ユーザに提示するための申出の選択は、ユーザについてのコンテキストデータに基づく。それらの申出のうちの１つまたは複数が、リモートサーバのうちの１つから受信されたキャンペーンパラメータに部分的に基づいて選択される。それらの動作は、モバイルネットワーク事業者によって提供されるモバイルデータプランにおいて引き換えられ得るクレジットの量の制限を含め、モバイルネットワーク事業者に関する引換ポリシーを定義するパラメータを受信することを含む。それらの動作は、第１のユーザデバイスが、無線ネットワーククレジットを引き換えるのに適格であることを検証することを含む。
【００４３】
以上、およびその他の特徴、態様、および実施例、ならびにそれらの特徴、態様、および実施例の組み合わせは、方法、ビジネスを行う方法、装置、システム、構成要素、ソフトウェア製品、ならびに機能を実行するための手段およびステップとして表現されることが可能であり、さらにその他の様態で表現されることが可能である。
【００４４】
以上、およびその他の実施形態はそれぞれ、オプションとして、以下の特徴のうちの１つまたは複数を含むことが可能である。ユーザは、広告申出と関わり合うこと、または広告を見ることでモバイルデータブロードバンドクレジットを獲得することができるようになる。ユーザは、様々なデバイス上でモバイルデータブロードバンドクレジットを獲得して、クレジットを単一の貯金箱口座に向けて寄与することができるようになる。ユーザは、複数のデバイスおよびデータプラン（複数のネットワークプロバイダを相手にするものも）を結び付けて、貯金箱からのモバイルデータブロードバンドクレジットを、それらのモバイルデータプランのうちの任意のデータプラン上で引き換えることができるようになる。モバイルデータブロードバンドクレジットは、既存のモバイルデータプランのために引き換えられてもよい。モバイルデータブロードバンドクレジットは、既存のデータプランのためのドルクレジット（例えば、キャッシュバック）として引き換えられてもよい。モバイルデータブロードバンドクレジットは、モバイルデータブロードバンドクレジットの代わりにペイ・パー・ビュー・コンテンツまたはモバイルコンテンツ加入と引き換えにされてもよい。ユーザは、ソーシャルネットワークを介して、無線加入者の間でモバイルデータブロードキャストクレジットを贈与することができるようになる。ユーザは、サービス（例えば、契約、アフィリエイト契約、継続した使用に対するロイヤリティ再生）に契約する、またはサービスを勧めるためのインセンティブとしてモバイルデータブロードキャストクレジットを与えられ得る。広告申出は、モバイルネットワーク事業者のネットワークから抽出された加入者についてのコンテキストデータに基づいて仲介され、ターゲットが定められることが可能である。スマートデータプラン、ならびに使用量監視ポリシーおよび自動引換ポリシーが提供されることが可能である。データプランおよび使用量監視は、モバイルネットワーク事業者のためのプランアップグレードまたは糸口生成につながる可能性がある。申出の完了に関連付けられた無線ネットワーク通信料金（ｃａｒｒｉａｇｅ）が、料率ゼロにされ得る（すなわち、「獲得するのに出費する」ことがない）。クライアントインタフェースは、ネイティブモバイルアプリケーションとしてインスタンス化されることも、デスクトップブラウザもしくはモバイルブラウザのためのウェブサイ
トとしてインスタンス化されることも可能であり、またはサードパーティアプリケーションもしくはサードパーティウェブサイトのためのアドオンサービスライブラリもしくはＳＤＫとしてパッケージ化されることも可能である。
【００４５】
本発明の特定の実施形態は、前述した利点のうちのいずれも実現しないように、またはそのような利点のうちの１つまたは複数を実現するように実装されることが可能である。一部の実施例は、パーソナルモバイルデバイス上のモバイルデータ使用量の監視が、高価なモバイルデータプラン超過の機会を減らすフレンドリバッファを無線ネットワーク加入者にもたらすことを促進することが可能である。一部の実施例は、クレジットの共通プールから各プランに必要とされるのに応じてクレジットを適用することによって、ユーザの、モバイルデータプランのコレクションの個人用設定、および費用管理を促進することが可能である。一部の実施例は、ユーザが、さらなる金を費やすことなしにさらなるモバイルコンテンツを消費することを可能にすることができる。一部の実施例は、加入者が加入する無線ネットワークの事業者に対する加入者ロイヤリティを高め、加入者入れ替わり（ｃｈｕｒｎ）を減らすことが可能である。一部の実施例は、モバイルデータプランを提案するモバイル事業者のためのマーケットシェアを拡大し、保護することが可能である。一部の実施例は、広告主が、顧客のモバイルデータ消費に補助金を出すことを可能にすることによってモバイル事業者収益を高めることが可能である。一部の実施例は、広告のターゲットを定めることを強化するデータ豊富な環境をもたらすことが可能である。一部の実施例は、コンテンツアイテムに対するユーザの関与を強化することが可能である。一部の実施例は、広告転換率を高めることが可能である。
【００４６】
本発明の１つまたは複数の実施形態の詳細は、添付の図面、および以下の説明に記載される。本発明の他の特徴、態様、および利点は、その説明、図面、および特許請求の範囲から明白であろう。
【図面の簡単な説明】
【００４７】
【図１Ａ】例示的な無線ネットワーククレジット交換システムの概念図。
【図１Ｂ】例示的な無線ネットワーククレジット交換システムのシステムアーキテクチャ図。
【図２】無線ネットワーククレジット引換のための例示的なプロセスのコールフロー図。
【図３】無線ネットワーククレジットを獲得するための例示的なプロセスのコールフロー図。
【図４Ａ】引換のためにデバイスをクライアントシステムに結び付ける例示的なセッションのためのシグナリングを説明するシーケンス図。
【図４Ｂ】無線ネットワーククレジットを引き換える例示的なセッションのためのシグナリングを説明するシーケンス図。
【図５】クライアントシステム上で申出を完了することによって無線ネットワーククレジットを獲得する例示的なセッションのためのシグナリングを説明するシーケンス図。
【図６】申出仲介システムによって実行される生成であり得る、動的申出ウォールを生成するための例示的なプロセスを説明するフローチャート。
【図７Ａ】クライアントシステム上で無線ネットワーククレジットを獲得するユーザのための例示的なクライアントユーザインタフェースを説明する一連のスクリーンショット。
【図７Ｂ】クライアントシステム上で無線ネットワーククレジットを獲得するユーザのための例示的なクライアントユーザインタフェースを説明する一連のスクリーンショット。
【図８Ａ】クライアントデバイスに関するモバイルデータプランに対して無線ネットワーククレジットを引き換えるユーザのための例示的なクライアントＵＸを説明する一連のスクリーンショット。
【図８Ｂ】クライアントデバイスに関するモバイルデータプランに対して無線ネットワーククレジットを引き換えるユーザのための例示的なクライアントＵＸを説明する一連のスクリーンショット。
【図８Ｃ】クライアントデバイスに関するモバイルデータプランに対して無線ネットワーククレジットを引き換えるユーザのための例示的なクライアントＵＸを説明する一連のスクリーンショット。
【図９Ａ】引換のためにデバイスをクライアントシステムに結び付けるユーザのための例示的なクライアントＵＸを説明する一連のスクリーンショット。
【図９Ｂ】引換のためにデバイスをクライアントシステムに結び付けるユーザのための例示的なクライアントＵＸを説明する一連のスクリーンショット。
【図９Ｃ】引換のためにデバイスをクライアントシステムに結び付けるユーザのための例示的なクライアントＵＸを説明する一連のスクリーンショット。
【図９Ｄ】引換のためにデバイスをクライアントシステムに結び付けるユーザのための例示的なクライアントＵＸを説明する一連のスクリーンショット。
【図１０Ａ】専用クライアントシステムによって使用される例示的なデータモデルを示す図。
【図１０Ｂ】専用クライアントシステムによって使用される例示的なデータモデルを示す図。
【図１０Ｃ】専用クライアントシステムによって使用される例示的なデータモデルを示す図。
【図１０Ｄ】専用クライアントシステムによって使用される例示的なデータモデルを示す図。
【図１０Ｅ】専用クライアントシステムによって使用される例示的なデータモデルを示す図。
【図１１Ａ】事業者管理システムによって使用される例示的なデータモデルを示す図。
【図１１Ｂ】事業者管理システムによって使用される例示的なデータモデルを示す図。
【図１１Ｃ】事業者管理システムによって使用される例示的なデータモデルを示す図。
【図１２】事業者管理システムとモバイルネットワーク事業者の間の例示的なインタフェースを説明する機能図。
【図１３Ａ】共有するための無線ネットワーククレジットを獲得し、ソーシャルネットワークと対話するユーザのための例示的なクライアントＵＸを説明する一連のスクリーンショット。
【図１３Ｂ】共有するための無線ネットワーククレジットを獲得し、ソーシャルネットワークと対話するユーザのための例示的なクライアントＵＸを説明する一連のスクリーンショット。
【図１３Ｃ】共有するための無線ネットワーククレジットを獲得し、ソーシャルネットワークと対話するユーザのための例示的なクライアントＵＸを説明する一連のスクリーンショット。
【図１３Ｄ】共有するための無線ネットワーククレジットを獲得し、ソーシャルネットワークと対話するユーザのための例示的なクライアントＵＸを説明する一連のスクリーンショット。
【図１３Ｅ】共有するための無線ネットワーククレジットを獲得し、ソーシャルネットワークと対話するユーザのための例示的なクライアントＵＸを説明する一連のスクリーンショット。
【図１４】本明細書で説明される技法を実施するのに使用され得るコンピュータデバイスおよびモバイルコンピュータデバイスの例を示す図。
【発明を実施するための形態】
【００４８】
無線業界のための新たな価値ベースの価格設定モデル、つまり、モバイルブロードバンドを、関与に対する報酬としてパッケージ化することが、その結果、そのパッケージ化の費用を補助する出資者のために価値を生み出す新たなモデルが必要とされている。本明細書は、ユーザが無線ネットワーククレジットを獲得し、モバイルデータプラン上でそれらのクレジットを引き換えることを可能にする価値交換プラットフォームを開示する。無線ネットワーククレジットを獲得することは、関与申出を完了すること、アプリケーション内マイルストーンを達成すること、または広告を見ること、および／または広告に関与することを介して可能にされる。
【００４９】
一部の実施例において、ユーザには、専用のアプリケーションにおいて申出のウォールが提示され、それらの申出のそれぞれが、スポンサのリスト、無線ネットワーククレジットの量で表現された報酬、および完了されたとき、報酬を解放する１つまたは複数のアクションをリストアップする。申出のウォールは、参加する複数の広告するネットワークおよびスポンサからの申出をソースとし（ｓｏｕｒｃｉｎｇ）、さらにユーザについて収集された、および／または学習された情報に基づいて申出のウォールのユーザのターゲットを定める仲介システムを介して動的に組み立てられることが可能である。
【００５０】
一部の実施形態において、サードパーティアプリケーションにおけるアドオン構成要素が、そのアプリケーションのユーザが、アプリケーション内で特定の関与申出を達成することによって無線ネットワーククレジットを獲得することを可能にする。一部の実施形態において、そのサードパーティアプリケーションの広告主は、そのサードパーティアプリケーションにおける広告露出の増加と交換にそのアプリケーションのユーザのために無線ネットワーククレジットを後援することが可能である。一部の実施例において、無線ネットワーククレジット引換能力が、現実通貨または仮想通貨をモバイルブロードバンドに、すなわち、無線ネットワークを介してデータへのアクセスに転換し、引き換えるのに活用される。
【００５１】
獲得された無線ネットワーククレジットは、仮想貯金箱の中に保持され得る。クレジットは、クレジットを受け付けるモバイルネットワーク事業者の料金請求−課金システムと一体化される事業者管理システムを使用して、新規のモバイルデータプランまたは既存のモバイルデータプランに対して引き換えられることが可能である。
【００５２】
図１Ａは、例示的な無線ネットワーククレジット交換システムの概念的な表現である。クライアントシステム１５１を実行するユーザデバイス１５０が、ユーザが、広告申出を完了すること（１５４）によって無線ネットワーククレジットを獲得することを可能にする。申出の例は、「ビデオを終わりまで観て、１００ＭＢを獲得する」ことであることも可能である。申出が完了されたとき、無線ネットワーククレジットが、無線ネットワーククレジット交換システムを使用して獲得されたすべての無線クレジットを常に把握しているエスクロ口座の役割をするクレジット貯金箱１５９に預けられる。例えば、合計無線クレジット残高が、獲得された６００ＭＢのクレジットを示すことが可能である。ユーザは、その残高の一部を引き換えると決め、そのクレジットの一部分を、クライアントシステムが実行されているユーザデバイス、および他のモバイルデバイスを含み得る、クライアントシステムに結び付けられたモバイルデバイスに適用することが可能である。例えば、ユーザが、６００ＭＢの残高から、その口座に結び付けられたモバイルデバイスに関して３００ＭＢを引き換えること（１５８）を決めることが可能であり、このことは、貯金箱１５９から３００ＭＢだけ、獲得された残高を減らす。無線ネットワーククレジット交換システムは、モバイルデバイスにプロビジョニングが行われる無線ネットワーク１６１を運用するモバイルネットワーク事業者１６０に接続される。引換の結果、３００ＭＢの無
線ネットワーククレジットが、モバイルデバイスに関連付けられた無線ネットワークデータプランまたは無線ネットワークデータ割り当てのクレジットと交換される。
【００５３】
例えば、無線ネットワーククレジット交換システムは、通常のクライアント／サーバパラダイムに準拠することが可能である。以下に説明されるシステムおよびプロセスは、広告であるコンテンツアイテムに関連付けられた申出に例示的に適用されるが、システムおよびプロセスは、ネットワークを介して提供されるその他のコンテンツアイテムにも適用可能である。
【００５４】
図１Ｂは、例示的な無線ネットワーククレジット交換システムの一般的なシステムアーキテクチャ図である。モバイルデバイス１００上で実行される専用のアプリケーション１０１としてインスタンス化されるクライアントシステム、モバイルデバイス１０３上で実行されるとともに、クライアントシステムの機能をパッケージ化するアドオン構成要素１０４を含むサードパーティアプリケーション１０２、およびウェブサイト１０５が、クライアントコール１０６、１０７、１０８の様態によってアプリケーションプログラミングインタフェース（ＡＰＩ）エンドポイント１０９経由で価値交換プラットフォーム１１３に接続され、さらに価値交換プラットフォーム１１３と通信することができる。ＡＰＩエンドポイントは、価値交換プラットフォームのサブシステムが、標準のウェブサービスとして公開されることを可能にして、サブシステムの機能を抽象化し、さらにクライアントシステムと価値交換プラットフォームとの間のすべてのコールおよびコールバックが認証され、暗号化されるので、セキュリティをもたらす。そのような機能の可能な実施例は、これらのＡＰＩエンドポイントをＲＥＳＴエンドポイントとして定義して、セキュアＨＴＴＰ（ＨＴＴＰＳ）コールの中にカプセル化されたＪＳＯＮシリアル化言語を活用して、クライアントシステムとＲＥＳＴエンドポイントの間で通信することである。価値交換プラットフォーム１１３は、クライアントシステム１００、１０３、１０５がアクセス可能な複数のサブシステムからなる。これらのサブシステムには、ユーザ情報−貯金箱システム１１１、管理−プロビジョニングシステム１１２、申出仲介システム１１８、および事業者管理システム１１９が含まれ得る。ユーザ情報−貯金箱システム１１１は、プライベートインタフェース１１０、すなわち、価値交換プラットフォームの外部のシステムに公開されないインタフェースを介してＡＰＩエンドポイント１０９経由でアクセス可能であり得る。そのインタフェースは、ユーザ口座情報を取り出し、貯金箱残高と対話するのに使用されることが可能である。申出仲介システム１１８に対する内部インタフェース１１５が、ユーザ口座情報の取り出し、およびユーザ情報−貯金箱システム１１１からの関与−転換統計を可能にするのに利用可能である。申出仲介システム１１８は、クライアントシステムによって要求されると、申出ウォールを取り出す目的で内部インタフェース１１６を介してＡＰＩエンドポイント経由でアクセス可能であり得る。申出仲介システム１１８は、専用のインタフェース１２６、すなわち、価値交換プラットフォームの仲介システム以外の他のいずれのシステムによっても使用されないインタフェースを介して、複数の広告ネットワーク１２７からの広告申出をソースとすることが可能である。申出に関連付けられたコンテンツアイテム（例えば、広告または他のメディアファイル）は、インタフェース１２８を介して広告ネットワークに通信されることが可能であり、さらにインタフェース１２５を介してクライアントシステムに通信されることが可能である。申出仲介システム１１８は、インタフェース１２３を介してモバイルネットワーク事業者１２３によって供給される価値交換キャンペーンのパラメータおよび引換ポリシーを取り出すのに使用され得る内部インタフェース１１４を介して管理−プロビジョニングシステム１１２と対話する。さらに、申出仲介システム１１８は、プライベートインタフェース１２１を介してモバイルネットワーク事業者１２３の加入者データベース（ＤＢ）１２４の中に記憶された加入者情報を取り出す。事業者管理システム１１９は、適格性を検証する目的、および加入者の残高に引換を適用する目的でプライベートインタフェース１１７を介してＡＰＩエンドポイント１０９から連絡可能であり得る。事業者管理システム１１９は、プラ
イベートインタフェース１２２を介してモバイルネットワーク事業者ネットワーク１２３の料金請求−課金システム１２０と対話することが可能である。
【００５５】
クライアントシステム
クライアントインタフェースは、無線ネットワーククレジット獲得機会をユーザに与える。一部の実施形態において、クライアントインタフェースは、ローカルにキャッシュされる貯金箱、つまり、サーバ側で保持されるユーザ口座に関するクレジット残高の同期されたコピーの中の獲得されたクレジットを常に把握している。クライアントインタフェースを介して、ユーザは、１つまたは複数のパーソナルモバイルデータプランを結び付けることができる。その１つまたは複数のモバイルデータプランが、１つまたは複数のモバイルデバイスに登録されることが可能である。結び付けられたモバイルデータプランが、獲得されたクレジットを引き換える有効なプランのうちの１つとして認証され、許可される。一連のセキュリティ機構が、デバイスをクライアントシステムに結び付けるユーザに属するデバイスを検証するのに使用され得る。例えば、ソフトウェアルーチンが、電話番号（電気通信業界における移動局統合サービスデジタルネットワークの略称であるＭＳＩＳＤＮと呼ばれる）が、デバイス上で実行されているオペレーティングシステムによって報告される番号と合致することを確認することが可能である。また、他の一意の無線ネットワークデバイス識別子（例えば、媒体アクセス制御アドレス）が、検証目的で使用されることも可能である。そのような能力が欠けた状態で、そのソフトウェアルーチンは、サーバ側プラットフォームから確認をトリガすることができる。この確認は、ショートメッセージサービス（ＳＭＳ）メッセージを、デバイスおよび関連するモバイルデータプランをクライアントシステムに結び付けることを最終決定するのにユーザが入力する必要がある短い数字コードと一緒にデバイスに送信することを含み得る。また、クライアントインタフェースは、貯金箱（獲得された無線ネットワーククレジットの残高を記憶する口座）からユーザ口座に結び付けられているモバイルデータプランへのクレジットの引換を開始するのに使用されることも可能である。クレジット引換が開始されると、ユーザは、事前登録されたデータプランを単一のステップで引き換えることができるようになる。
【００５６】
図２は、例示的な引換プロセスに関するコールフローを提示する。無線ネットワーククレジットを引き換える論理ステップ（２００）で、クライアントシステムが、少なくとも１つのデバイスが、無線ネットワーククレジットの引換が行われる口座に結び付けられていることを検証する（２０１）。結び付けられているデバイスが全く存在しない場合、クライアントシステムは、デバイスを追加するようユーザに求め、このことは、そのデバイスのＭＳＩＳＤＮを要求することを含み得る（２０２）。ＭＮＯ管理システムに問合せが行われて、そのＭＳＩＳＤＮに関連付けられたデバイスがそのサービスに適格であることが検証される（２０３）。そのデバイスが適格でない場合、クライアントシステムは、別のデバイスを入力するようユーザに求めることに進む（２０５）。ユーザが、別のデバイスを追加することを選択しない場合、「引換不可」メッセージがユーザに提示される（２０６）。そのデバイスが適格である場合（２０４）、または既存のデバイスが存在する場合（２０１）、クライアントシステムは、貯金箱システムに問合せを行い（２０７）、ローカルの利用可能な無線ネットワーククレジット残高を更新する（２０８）。残高が利用可能でない（例えば、無線ネットワーククレジットが全くない）場合（２０９）、「引換不可」メッセージがユーザに提示され得る（２０６）。残高が利用可能である場合（２０９）、クライアントシステムが、引き換える量を入力するようユーザに求める（２１０）。残高がその量未満である場合（２１１）、ユーザは、異なる量を再入力するよう求められることが可能である。残高がその量を超えている場合（２１１）、ユーザは、その口座に結び付けられたデバイスのリストから、引換が行われることをユーザが所望するデバイスを選択するよう求められる（２１２）。デバイスが選択された場合、ＭＮＯ管理システムに問合せが行われて、ＭＳＩＳＤＮに関連付けられたデバイスが無線ネットワーククレジットの引換に適格であることが検証される（２１３）。そのデバイスが適格ではない場
合（２１４）、ユーザは、異なるデバイスを選択するよう求められることが可能である（２１５）。利用可能な他のデバイスが存在しない場合、またはユーザが続行しない選択をした場合、「引換不可」メッセージがユーザに提示され得る（２０６）。選択されたデバイスが適格である場合（２１４）、デバイスにプロビジョニングが行われる無線ネットワークプロバイダのネットワーク上で、選択されたシステムのデータプランの量をクレジットに交換するようＭＮＯ管理システムに命令するコールが、ＭＮＯ管理システムに行われる（２１６）。引換成功メッセージがユーザに表示され得る（２１７）。
【００５７】
図４Ａは、引換のためにデバイスを貯金箱口座に結び付ける例示的なセッションのためのシグナリングを説明するシーケンス図である。一般に、クライアントシステム４００が、事業者管理システム（ＯＭＳ）４０８と通信し、ＯＭＳ４０８は、モバイルネットワーク事業者４１４と通信する。デバイスを追加する論理ステップ４０１に関して、結び付けられているデバイスのＭＳＩＳＤＮ識別子を含む問合せ４０４が、ＯＭＳ４０８に対して行われる。ＯＭＳ４０８が、内部事業者適格性手順４０９を実行して、そのデバイスが適格であるかどうかを決定することが可能であり（例えば、モバイルネットワークプロバイダが、そのプロバイダのネットワーク上で利用可能なデバイスのサブセットだけが、無線ネットワーククレジット引換サービスに適格であると決めることが可能である）、そのモバイルネットワーク事業者（ＭＮＯ）４１４の無線ネットワーク経由で（例えば、民間のＳＭＳ（ショートメッセージングシステム）ゲートウェイを活用することによってＳＭＳを介して）、ＭＳＩＳＤＮによって識別されたデバイスに至るメッセージ４１０の中でランダム検証コードを送信することにとりかかる。ＳＭＳメッセージ４１０が受信されたとき、その検証コードを入力する論理ステップ４０２が開始され得る。次に、この検証コードが、コール４０５を介してＯＭＳ４０８に送信される。一部の実施例において、ＯＭＳ４０８は、生成された検証コードの４０５で送信されたコードとローカルにキャッシュされたコードとを照合する内部検証手順４１１を開始する。合致すると、ＯＭＳ４０８は、ＭＮＯ４１４に対して加入者のデータプラン適格性確認（例えば、モバイルネットワーク事業者が、その加入者のデータプランが活性であるとともに、良好な状態にあることを確実にすることを所望する）４１２を開始することが可能である。適格性を検証する妥当なメッセージ４１３を受信すると、ＯＭＳ４０８は、クライアントシステム４００に成功コールバック４０６を発行することが可能であり、デバイスをクライアントシステム４００に結び付ける論理ステップ４０３が達成される。
【００５８】
図９は、引換のためにデバイスをクライアントシステムに結び付けるユーザのための例示的なクライアントＵＸを説明する一連のスクリーンショットである。モバイルデバイス９００上で実行される専用のモバイルアプリケーション９０１としてインスタンス化されたクライアントシステムが、ユーザが口座９０３に結び付けられたデバイスを管理することができる設定ペイン９０２を提示する。ユーザが、デバイスについてのさらなる入力、例えば、デバイス名９０６およびデバイス電話番号９０７（ＭＳＩＳＤＮとしても知られる）を探して二次ペインを提示する「デバイス追加」９０５ボタンを呼び出すことによって、デバイスを結び付けるプロセスを開始する。妥当であるとされたとき（９０８）、そのデバイスは、結び付けられたデバイスのリストに追加されるが、検証される必要がある（９０９）。ＭＮＯ管理システムは、適格性を検証した後、検証コードをモバイルデバイス９００に送信する。モバイルコードを受信すると（９１１）、ユーザは、モバイルコードを９１０フィールドに入力して、動作を検証することが可能である（９１３）。検証コード９１２は、ＭＮＯ管理システムに送信される。妥当であるとされたとき、成功メッセージ９１４がユーザに表示され得る。
【００５９】
図４Ｂは、クライアントシステムに結び付けられたデバイスのモバイルデータプランに対して無線ネットワーククレジットを引き換える例示的なセッションに関するシグナリングを説明するシーケンス図である。一般に、クライアントシステム４５０は、ユーザ情報
−貯金箱システム（ＵＩＰＳ）４５５、ならびにモバイルネットワーク事業者（ＭＮＯ）４５７と通信する事業者管理システム（ＯＭＳ）４５６と通信する。残高を確認する第１の論理ステップ４１５に関して、ユーザＩＤを送る残高確認コール４５８が、ＵＩＰＳ４５５に対して行われることが可能であり、ステップ４５９で残高量がクライアントシステム４５０に戻されることが可能である。続く論理ステップ４５２において、ユーザが、引換を行うデバイスを選択することが可能である。クライアントシステム４５０は、ユーザＩＤおよびＭＳＩＳＤＮを送って、データプランが有効であり、引換に適格であることを確認するコール４６０をＯＭＳ４５６に対して行う。ＯＭＳ４５６は、ＭＳＩＳＤＮに関するデータプランおよび適格性ステータスを確認するように関係のあるＭＮＯ４５７に対してコール４６１を発行することが可能である。デバイスは、既に結び付けられているものの、そのステップは、そのデータプランが依然として適格であることを確実にするのに役立ち得る（例えば、そのデータプランが、元の結び付けの時点で良好な状態にあったが、ステータスを失っており、したがって、既に適格でない可能性がある）。ＭＮＯ４５７から妥当な回答４６２を受信すると、ＯＭＳ４５６は、クライアントシステム４５０に対して続行コール４６３を発行する。次の論理ステップは、ユーザが、引き換えるべき量を選択すること（４５３）であり、このことは、入力された量が、そのＭＳＩＳＤＮに関する最小／最大引換限度内であるかどうかを確認する、ＯＭＳ４５６に対する妥当性検査コールをトリガすることが可能である。ＯＭＳ４５６からの応答である続行コール４６５が、引換論理ステップ４５４のためのパスを開く。ユーザＩＤおよびＭＳＩＳＤＮを送る引換コール４６６が、ＯＭＳ４５６に発行され、ＯＭＳ４５６は、ＭＮＯ４５７に対する、クレジット量およびＭＳＩＳＤＮを包含するクレジットコール４６７にとりかかる。ＭＮＯ４５７からのＯＭＳ４５６に対する確認コール４６８を受信すると、ＯＭＳ４５６が、ユーザＩＤを包含する量減少コール４６９でＵＩＰＳ４５５に通知する。残高が減少されると、ＵＩＰＳ４５５は、成功−残高更新コール４７０でクライアントシステム４５０に更新された残高を戻すことが可能である。
【００６０】
図８は、クライアントデバイスに関するモバイルデータプランに対して無線ネットワーククレジットを引き換えるユーザのための例示的なクライアントＵＸを説明する一連のスクリーンショットである。モバイルデバイス８０１上で実行される専用のモバイルアプリケーション８０３としてインスタンス化されたクライアントシステムが、申出を表示する獲得ペインを提示する。引換オプション８０２を選択したとき、ユーザに、獲得された無線ネットワーククレジットを引き換えるのに使用され得るユーザ口座に結び付けられたデバイス８０４のリストを示す引換ペインが提示される。それらのデバイスのうちの１つを選択したとき（８０５）、ユーザには、引き換えるべき量を選択する入力機構８０６、貯金箱の中で利用可能な残高を示す情報パネル８０７、および選択されたデバイスに設定されたデータプランに関するデータ使用量レベルを示す使用量パネルを含むさらなる情報が提示され得る。引き換えるべき量を選択したとき（８０９）、ユーザは、引換ボタンを押すことによってそのトランザクションを確認する（８１０）。トランザクション成功メッセージ８１１がユーザに表示されることが可能である。
【００６１】
クライアントインタフェースは、ユーザが、ユーザが参加するソーシャルネットワークにアプリケーションを接続することを可能にするソーシャルフレームワークを含み得る。そのようなソーシャルサービスの例には、例えば、フェースブック（登録商標）およびツイッターを含む。これらのサービスは、サードパーティサービスおよびサードパーティアプリケーションに関する、認証し、ソーシャルグラフ情報を取得し、さらにこれらのサービスによって提供される機能と一般的に対話する（例えば、ユーザのフェースブックウォール上にメッセージを投稿する、ユーザに代行してツイッターにツイートする）アプリケーションプログラミングインタフェース（ＡＰＩ）能力を公開する。ソーシャルフレームワークは、様々なソーシャルネットワークとの対話を抽象化し、それらのソーシャルネットワークのそれぞれのデータモデル間の違いを正規化することが可能である。例えば、ソ
ーシャルフレームワークは、フェースブックとツイッターの両方、ならびにユーザデバイス上のローカルアドレス帳における同一のユーザに関するソーシャルグラフを取り出し、重複を取り除き、使用されるデータモデルを正規化して、そのソーシャルグラフを単一のグラフに統合することも可能である。
【００６２】
ソーシャルフレームワークは、ユーザが、ユーザの達成をソーシャルネットワーク上で共有すること、およびそのシステムを共有すること、そのシステムに関与すること、およびそのシステムをユーザのソーシャル（ネットワーク上の）つながりに勧めることに、さらなる無線ネットワーククレジットを獲得することを可能にする。また、ソーシャルフレームは、ユーザとユーザのソーシャルつながりとの間で、獲得されて、仮想貯金箱の中に記憶されたモバイルデータブロードバンドを贈与することも可能にする。
【００６３】
図１３は、共有するための無線ネットワーククレジットを獲得し、ソーシャルネットワークと対話するユーザのための例示的なクライアントＵＸを説明する一連のスクリーンショットである。モバイルデバイス１３００上で実行される専用のモバイルアプリケーション１３１４としてインスタンス化されたクライアントシステムが、ユーザが、他の加入者とそのアプリケーションを共有するためにさらなる無線ネットワーククレジットを獲得する様々なオプションを提供する共有パネル１３０２を提示する。共有することは、連絡先にシステムクライアントを勧めること、およびそのサービスに契約するよう連絡先を招待することを含み得る。アドレス帳エントリに対して共有すること、様々なソーシャルネットワークに対して共有すること、電子メールを介して共有すること、またはテキストメッセージを介して共有することを含め、複数の共有オプションが提示される。アドレス帳エントリに対して共有することの興味深い例が、オプション１３０１を選択することによって開始され得る。クライアントシステム１３１４が、デバイス１３００上に記憶されたアドレス帳を調べ、すべての適格の連絡先と共有するオプション１３０４、および特定の連絡先と共有するオプション１３０５をユーザに提示する。連絡先情報の中に含められた電話番号（ＭＳＩＳＤＮ）が、価値交換プラットフォームによって提供されるサービスに適格である、連絡先は、適格であり得る。例えば、デバイスは、そのモバイルデバイスにプロビジョニングが行われる無線ネットワークがＭＮＯ管理システムと一体化され得る場合、サービスに適格であり得る。ユーザが、すべての適格の連絡先と共有すると決めた場合（１３０４）、クライアントシステム１３１４は、すべての適格の連絡先に電子メールを自動的に送信することが可能であり、さらにユーザは、そのアクションについて通知を受けることが可能である（１３０６）。ユーザが、特定の連絡先を選択すると決めた場合、ユーザには、すべての適格の連絡先のリストが提示されることが可能である（１３０７）。それらの連絡先のうちの１つを共有すること（１３０９）が、その選択された連絡先に関する連絡先情報の中の適格の電話番号に対して電子メールによって共有することのオプション１３０８、およびテキストメッセージによって共有することのオプション１３１０をユーザに提示することが可能である。テキストメッセージによって共有したとき、ユーザには、成功メッセージが通知され得る（１３１３）。ユーザが、電子メールを介して共有すると決めた場合（１３０８）、ユーザは、電子メールアドレスを入力するよう、または選択するよう促され（１３１１）、共有することにとりかかることが可能である（１３１２）。電子メールによって共有したとき、ユーザには、成功メッセージが通知され得る（１３１５）。
【００６４】
クライアントインタフェースは、オプションとして、クライアントインタフェースに結び付けられたモバイルデータプランに関する残高、料金請求サイクル、および使用量情報を監視することを含むことが可能である。ユーザに与えられる便利さに加えて、さらなる認識（ａｗａｒｅｎｅｓｓ）が、クライアントインタフェースがユーザに代行してスマート操作を実行することが可能である。クライアントインタフェースは、データ使用量を監視することができ、さらに、モバイルプランがいつ使い尽くされるかを予測して、超過料
金、およびクレジットを無駄にすることを回避するのに、利用可能な残高に基づいて、貯金箱の中の利用可能なクレジットをどれだけ、いつ使用すべきかについてユーザに推奨を行うために、データ使用量に対して統計解析およびヒューリスティクスを実行する。例えば、統計解析は、類似した加入者人口構成を有するとともに、類似したデバイスを使用している加入者データプランのコレクションに関する使用パターンをまとめ、さらに履歴データを使用して、現在の加入者のデータプランが、料金請求サイクルの終わりより前に使い尽くされる蓋然性を決定することを含み得る。例えば、ヒューリスティクスは、現在の加入者に関する使用量パターンデータを収集し、週末は平日よりも５０パーセント使用が多いと時間をかけて決定し、データ割り当てに残されたデータ使用量に対して料金請求サイクルの終わりの前に曜日のタイプを解析することを含み得る。一部の実施例において、料金請求サイクルの終わりに未使用である引き換えられたクレジットは、モバイル事業者によってフラッシュされ得る。さらに、ユーザが、モバイルデータプランのそれぞれに関するトリガおよびしきい値プリファレンスを定義すること、またはクライアントシステムを完全オートパイロットモードにすること、すなわち、クライアントシステムに、結び付けられたモバイルデータプランに貯金箱の中で利用可能なクレジットを補充する最良の戦略を決定させることが可能である。
【００６５】
図１０は、専用のクライアントシステムによって使用される例示的なデータモデルである。このクライアントシステムデータモデルは、クライアントシステムによって、本明細書で説明される技法を実装するのに使用されるデータを効率的に記憶し、そのようなデータにアクセスするのに使用され得る。
【００６６】
このクライアントシステムは、使用事例に依存して様々な様態でインスタンス化され得る。
一部の実施例において、クライアントインタフェースは、専用のモバイルアプリケーションを含む。モバイルアプリケーションは、モバイルユーザが、ユーザの現在のモバイルデータプラン情報を見て、ユーザのモバイル消費の使用概略をリアルタイムで得ることを可能にする。また、モバイルアプリケーションは、関与申出を完了すること、アプリケーション内マイルストーンを達成すること、または広告を見ることと交換に無線ネットワーククレジットを獲得することを許すことも可能である。モバイルアプリケーションは、ユーザが、仮想貯金箱を管理して、監視すること、および貯金箱口座に結び付けられたモバイルデータプランのうちのいずれにもまたがって獲得されたクレジットの引換に関するポリシーおよびプリファレンスを構成することを可能にする。
【００６７】
例えば、専用のモバイルアプリケーション１０１としてのクライアントシステムは、図１４に示されるモバイルコンピューティングデバイス１４５０のような、処理装置上で実行されるソフトウェア、ハードウェア、またはソフトウェアとハードウェアの組み合わせとして実装され得る。
【００６８】
図３は、無線ネットワーククレジットを獲得するための例示的なプロセスのコールフローである。無線ネットワーククレジットを獲得する論理ステップ３００で、ユーザが、クライアントシステムによって提示されるすべての申出のうちの或る申出を選択する（３０１）。その申出が選択されると、仲介システムに問合せが行われて、その申出に関連付けられたコンテンツアイテム（例えば、広告、ウェブフォーム、ビデオ、ランディングページなど）が取り出される（３０２）。コンテンツアイテムが表示され、さらにその申出の条件およびパラメータを説明するとともに（３０３）、存在する場合、その申出と関係するアセットを含むことが可能である（例えば、その申出が、見ることが完了すると、ユーザに無線ネットワーククレジットが報酬として与えられるビデオ申出である場合、３０３においてビデオが表示される）。その申出が完了されたとき、クライアントシステムは、仲介システム３０４から、その申出を完了することに成功したか否かを示すコールバック
コンファメーションを待つことが可能である（３０５）。その申出が完了された場合、貯金箱残高に、その申出に対応する無線ネットワーククレジットが即時に書き込まれることが可能である（３０６）。その申出が完了されていない場合（３０５）、「申出を完了しなかった」メッセージが表示され（３０７）、ユーザは、その申出に関するコンテンツアイテムの表示にリダイレクトされ得る（３０３）。
【００６９】
図５は、クライアントシステム上で申出を完了することによって無線ネットワーククレジットを獲得する例示的なセッションのためのシグナリングを説明するシーケンス図である。一般に、クライアントシステム５００は、広告ネットワーク５０５と通信する仲介システム５０４と通信し、広告ネットワーク５０５は、広告主５０６と通信する。申出をクリックすることの論理ステップ５０１で、申出ＩＤを送る申出問合せページコール５０７が、仲介システム５０４に対して行われる。申出ページは、申出の詳細（獲得されるべき帯域幅報酬に関する情報を含む）、およびその申出を完了するのにユーザがどのようなアクションを実行する必要があるかを包含する。申出ＩＤを有するコール５０７を受信すると、仲介システムは、申出ページ詳細を求めるコール５０８で広告ネットワーク５０５に問合せを行うことが可能であり、コール５０８は、ユーザに表示されることになるコンテンツアイテムに関する申出アセット（例えば、広告）を問い合せるコール５０９で広告主５０６に中継される。このコンテンツアイテムは、申出の二次層である。例えば、申出がアンケートに記入することである場合、コンテンツアイテムは、適切なブランド設定、および回答を提出する手段を備えたアンケート質問である。それらのアセットを受信すると、広告ネットワーク５０５は、コンテンツアイテムを構築することが可能である。例えば、広告ネットワーク５０５は、クライアントシステム５００によって読み取られ得るフォーマット（例えば、ＨＴＭＬページが使用され得る）に完成させられることが要求されるアセットを含む、申出の条件を組み立てることが可能である。コンテンツアイテムは、１つまたは複数のトラッカ、例えば、申出と関係するアクションが実行されたとき、或るアクション（トラッカポータルを呼び出すことなどの）をトリガするコールバックソフトウェアコードを包含することが可能である。例えば、申出が、ビデオを終わりまで見ることと関係する場合、ビデオプレーヤが終了すると、トラッカが、トラッカポータルを呼び出すことが可能である。コンテンツアイテムは、広告ネットワーク５０５によって、コール５１６を介して仲介システム５０４に送信されることが可能であり、仲介システム５０４は、そのコンテンツアイテムを、コール５１７を介してクライアントシステムに中継する。その時点で、コンテンツアイテムを表示する論理ステップ５０２が、クライアントシステム５００によって実行されることが可能である。アクショントラッカが受信されたとき（５１９）、広告主５０６は、申出ＩＤに関する申出完了の通知を広告ネットワーク５０５に通知することが可能であり（５１３）、その時点で、広告ネットワーク５０５が、仲介システム５０４に対して申出ＩＤに関する成功コールバック５１２をトリガし、仲介システム５０４は、その申出が完了されることに成功し、報酬が獲得されるべきことをクライアントシステム５００に通知する（５１１）。その報酬は、その後、ＭＳＩＳＤＮに関するトランザクションＩＤで報酬を同期させる申出仲介システムによって貯金箱システムの中の口座に追加され得る。
【００７０】
図７は、クライアントシステム上で無線ネットワーククレジットを獲得するユーザのための例示的なクライアントＵＸを説明する一連のスクリーンショットである。モバイルデバイス７００上で実行される専用のモバイルアプリケーション７０１としてインスタンス化されたクライアントシステムが、申出のリスト７０６、および申出を最高獲得者だけに限定するオプション７０４、または利用可能なすべての申出を示すことに戻すように切り換えるオプション７０３を示す獲得ペイン（例えば、「申出ウォール」）７０２を提示する。申出７０５を選択したとき、ユーザに対して、申出アセット（例えば、図におけるビデオ７０７）、および申出の条件を提示するビュー７０９に切り換わる。この例において、ビデオプレーヤ７０８を開始することにより、申出完了プロセスが始まる。ユーザが、
申出に対して続行しないことを決めた場合、閉じるボタン７１０が利用可能である。申出を完了すると、ユーザは、申出の更新されたリストを示し、さらに貯金箱の中の無線ネットワーククレジットの増加した残高７１２を示す申出ウォールビュー７０２に戻される。
【００７１】
一部の実施例において、アプリケーションのユーザ使用（申出を見ること、申出に関与すること、および申出を完了すること、ならびにクレジットを引き換えること）と関係する通信料金（帯域幅）が料率ゼロにされ、つまり、ユーザは、その使用量の代金を課金されず、および／またはその使用量は、データ割り当てにカウントされない。料率ゼロのトラフィックは、以下に説明される事業者管理システムを介して、複数の様態で事実上、実現され得る。
【００７２】
リアルタイムのクレジット交換：一部の実施例において、クライアントシステムは、申出と対話すること、申出に関与すること、申出を完了すること、および申出を引き換えることに関して消費される使用量に関するカウンタを保つ。引換が行われたとき、そのアクティビティに関する合計使用量カウンタが、サーバに常駐する事業者管理システムに送られる。後続のステップにおいて、プラットフォームは、モバイル事業者によって公開されたインタフェースを使用して、その使用量を戻すように加入者のモバイルデータプランのクレジットと交換する。
【００７３】
専用のＡＰＮ：一部のモバイル事業者は、異なる料金請求口座を定義する目的で、モバイル加入者にモバイルコンテンツの使用量を課金するのに使用されるのとは別個の、専用のＡＰＮ（アクセスポイント名）を定義し、構成することが可能である。このシナリオの下で、インタフェースは、アプリケーショントラフィックをその特殊なＡＰＮ経由でルーティングする。そのトラフィックは、プロバイダに課金され、加入者の割り当てにカウントされず、事実上、そのトラフィックを料率ゼロにする。
【００７４】
ＤＰＩベースのアカウンティング  一部のモバイル事業者は、いくつかの目的で、事業者のネットワークにおいてＤＰＩ（ディープパケットインスペクション）、つまり、モバイルデバイスからのトラフィックおよびモバイルデバイスへのトラフィックを検査するハードウェアおよびソフトウェアを実行することが可能であり、１つのそのような目的は、特定のパターンシグネチャと合致するトラフィックに課金規則を割り当てることである。サービスプロバイダが、モバイル事業者と一緒に、前もってサービスシグネチャを定義し、プロビジョニングして、すべてのクライアントアプリケーショントラフィックが、サービスプロバイダに課金されるものとして認識されて、事実上、加入者に関してそのトラフィックが料率ゼロにされるようにする。
【００７５】
一部の実施例において、クライアントインタフェースは、モバイルブラウザもしくはデスクトップブラウザのためのウェブサイトであることが可能であり、および／またはサードパーティウェブアプリケーションにおける、もしくはサードパーティウェブポータル（例えば、ソーシャルネットワークウェブポータル）の上に構築されたウェブウィジェットとして含められることが可能である。クライアントシステムウェブサイト１０５は、１つまたは複数のコンピューティングデバイス（例えば、図１４に示されるコンピュータシステム）などの処理装置上で実行されるソフトウェア、ハードウェア、またはソフトウェアとハードウェアの組み合わせとして実装されることが可能である。
【００７６】
一部の実施例において、クライアントインタフェースは、サードパーティ開発者およびサービスプロバイダによって統合され得るアドオンライブラリまたはソフトウェア開発キット（ＳＤＫ）として実施され得る。このことは、コンテンツプロバイダおよび発行者が、ユーザが、アプリケーション、および／またはアプリケーション／コンテンツの広告主に関与することで無線ネットワーククレジットを獲得することを可能にするロイヤリティ
プログラムで、ユーザにインセンティブを与えることを可能にする。アドオン構成要素は、サードパーティコンテンツおよびサービスプロバイダが、関与定義および完了ポリシー（例えば、アプリケーション内マイルストーンを達成すること、特定のタスクを実行することなど）を個人用設定することを可能にする。アドオン構成要素は、無線ネットワーククレジットが獲得されて、包括的な貯金箱の中に、またはアプリケーションに特有である専用の貯金箱の中に記憶されることを可能にする。専用の、アプリケーション特有の貯金箱は、包括的な貯金箱を保持するのと同一のサーバ側インフラストラクチャによって運用される。
【００７７】
アドオン構成要素は、価値交換プラットフォームの能力を提示し、そのような能力と対話する異なるオプションをサードパーティコンテンツプロバイダに提供する複数のユーザインタフェース（ＵＩ）提示層、例えば、リッチメディアグラフィカルウィジェットを提供する。それらの複数のＵＩ提示層は、無線ネットワーククレジットの収集、引換、および交換のための別々のモジュールとして構築される。これらのモジュールは、とりわけ、バナー、スタンプ、コールアウト、および／または別々のペインを含み得る。アドオン構成要素によって、サードパーティアプリケーションの広告主に対して、広告主の広告を、それらの広告を見たとき、またはそれらの広告と対話したときに、無線ネットワーククレジットを獲得するのに適格となるように予めパッケージ化された様態を提供することができる。例えば、モバイルアプリケーション発行者が、関与定義が発行者の広告主の広告をクリックすることを含むようにアドオン構成要素を構成することも可能である。広告に関与すると、モバイル帯域幅報酬を提供することによって、広告キャンペーンに関するクリックスルーおよび転換率が、向上することが可能であり、さらにモバイルアプリケーション発行者が、発行者の広告主に広告キャンペーンをより高い価格で売ることが可能である。管理ポータル（例えば、どの広告が報酬にとって適格であるか、報酬はいくらにするべきか、どのように報酬についてユーザに注意を喚起するべきか、完了時のランディングページはどこかなど）においてキャンペーンの属性を、モバイルアプリケーションソースコードを変更することも、広告代理店を相手にした広告制作物の変更を行うこともなしに、構成することによって、広告が、「帯域幅獲得対応」となるように自動的に更新され得る。
【００７８】
例えば、アドオンまたはＳＤＫ１０４としてのクライアントシステムは、図１４に示されるモバイルコンピューティングデバイス１４５０のような、処理装置上で実行されるソフトウェア、ハードウェア、またはソフトウェアとハードウェアの組み合わせとして実装され得る。
【００７９】
価値交換プラットフォームのサーバ側部分は、セットのネットワークＡＰＩを介してクライアントシステムに公開される複数の構成要素からなるクラウドベースのサービスであり得る。
【００８０】
申出仲介システム
申出仲介システムは、クライアントシステムと、または複数の広告ネットワークの両方とのインタフェースとなる。一部の実施例において、仲介システムは、システムのユーザに関する申出のパイプラインを収集し、管理する。そのパイプラインからの申出を反映するデータが、仲介システムのネットワークインタフェースを介して、クライアントシステムに送信されて、クライアントシステム内で一貫性のある「申出ウォール」としてそれらの申出を提示することを促進することが可能である。仲介システムは、複数の広告ネットワークからコンテンツアイテム（例えば、広告およびメディア）を受信して、ユーザのための安定したパイプラインを維持することが可能である。仲介層は、サーバ上で実行されるソフトウェアとして実装されることが可能であり、さらにコンテンツアイテムは、仲介システムのネットワークインタフェースを介して受信されることが可能である。
【００８１】
また、仲介システムは、ユーザについて既知のコンテキスト情報を受信することも可能である。コンテキスト情報は、年齢、性別、ロケーション、好まれるウェブ宛先、ユーザのスマートフォンにインストールされたアプリケーションカテゴリ、通常の使用パターンなどを含むことが可能である。例えば、ユーザについてのコンテキスト情報は、ターゲット設定を豊富にするために、または契約時に直接に集められた（ユーザオプトインの）一次データとしてモバイル事業者によって匿名で渡されることが可能である。コンテキスト情報は、仲介システムのネットワークインタフェースを介して受信されることが可能である。一部の実施例において、仲介システムは、ユーザについての確定的情報に基づいて、パイプラインにおける申出を編成し、それらの申出に優先順位を付ける。一部の実施例において、パイプラインにおける申出の編成および優先順位付けは、類似した申出に関する過去の完了率および関与率などの履歴データ、またはユーザの人口またはサブセットにおける申出承諾などの統計解析にも基づく。
【００８２】
例えば、申出仲介システム１１８は、１つまたは複数のコンピューティングデバイス（例えば、図１４に示されるコンピュータシステム）などの処理装置上で実行されるソフトウェア、ハードウェア、またはソフトウェアとハードウェアの組み合わせとして実装されることが可能である。
【００８３】
図６は、申出仲介システム１１８によって実行され得る、動的申出ウォールを生成するための例示的なプロセスを説明するフローチャートである。このプロセスは、特定のユーザＩＤに関してクライアントシステムによって行われた要求６００を受信すると、始まる。第１のステップ６０１で、申出が、パートナおよびネットワークからフェッチされて、単一のリストの中に集約されることが可能である。そのリストが、まとめられて（ｃｕｒａｔｅ）、申出が広いカテゴリ（例えば、ビデオ、契約、アンケートなど）に分類され（６０２）、さらにタグ付けされることが可能である。冗長な申出が、集約されたリストから取り除かれることが可能である（６０３）。申出仲介層が、管理−プロビジョニングポータル１１２からキャンペーンパラメータ（国制限および年齢制限、申出タイプ、ＯＳ制限などの）をフェッチする（６０４）。キャンペーンパラメータは、集約されたリストから望ましくない申出を選別して除くのに使用され得る（６０５）。（例えば、キャンペーンパラメータは、その申出がＰＧ１３指定されるべきであるというポリシーを含むことが可能であり、つまり、その基準と合致しないすべての申出は、選別して除かれる。）仲介システム１１８は、利用可能な場合、情報および人口構成属性のリストを求めてユーザ情報−貯金箱システム１１１に問合せを行うことが可能である（６０６）。仲介システム１１８は、利用可能な場合、履歴上の関与−転換メトリックを求めてユーザ情報−貯金箱システム１１１に問合せを行うことも可能である（６０７）。申出の集約されたリストの中の申出のそれぞれに関して転換率の統計解析が実行されることが可能であり、さらにこれらの申出が、ＰＥＶ（潜在的獲得価値）の降順に、結果、格付けされることが可能である（６０９）。例えば、特定の人口構成グループまたは類似した申出に関する履歴上の転換率を使用することが、いくつかの申出が、特定のユーザについて収集された情報に基づいて、より適切に転換されることを統計的に示すことが可能である。結果は、ユーザの関心を引く可能性が高い最高の報酬の潜在的な申出の重み付けされたリストであり得る。この重み付けされたリストは、動的申出ウォールを構築するのに使用され得る。例えば、高いＰＥＶを有する申出が、申出ウォール内で目立つ位置（例えば、中央上、左上、または中央中段）に置かれることが可能である一方で、より低いＰＥＶを有する申出は、申出ウォール内でそれほど目立たない位置に配置されることが可能である。完成すると、生成された申出ウォールは、クライアントシステムに送信されることが可能である（６１０）。
【００８４】
一部の実施例において、仲介システムは、広告経済における申出の金銭的価値（例えば、ドル額相当の）とセルラ帯域幅の限界費用の間の通貨換算を決定して、広告経済とセル
ラ経済の間で中間転換ステップを作る代わりに、申出が、単なる「帯域幅に対する広告の」交換（例えば、この申出を完了して、１００ＭＢの帯域幅を獲得する）としてユーザに提示され得るようにする。例えば、サービスに関する契約申出が、そのサービスのユーザの平均生涯価値に基づく金銭的価値を有することが可能である。ディスプレイ広告に関する向上したクリックスルー率は、広告主が上昇の代金を支払うＣＰＭ（１０００人当たりの広告費）相当の金銭的価値を有し得る。新規のアプリケーションをダウンロードする申出は、発行者が新規ユーザを獲得するのに支払うマーケティング支出に相当する金銭的価値を有し得る。同様に、セルラ帯域幅の限界費用は、セルラネットワークのタイプ、時間およびロケーション、ならびにサービスプロバイダとモバイル事業者の間の帯域幅卸売契約を含めて、いくつかの要因に依存する。サービスプロバイダとモバイル事業者の間で合意された卸売価格は、管理−プロビジョニングシステムの中に記憶され、仲介システムによってアクセスされて、広告申出の金銭的価値が等価の無線ネットワーククレジット量に転換される。
【００８５】
使用情報−貯金箱システム
仮想貯金箱は、ユーザによって獲得された、またはサードパーティエンティティによってユーザに贈与されたすべてのクレジットに関する中央リポジトリである。仮想貯金箱は、サーバ側に常駐する仮想口座である。その貯金箱のクライアント側表現は、残高がサーバ側で更新され、クライアントシステムが更新される必要がある際、このシステムに、またはソフトウェアコールバックのシステムに明示的なポーリングを行うことを介して更新され得る。また、他のユーザ情報が、このシステムの中に記憶されることも可能である。例えば、ユーザ情報−貯金箱システム１１１は、結び付けられたユーザモバイルデバイスのリスト、およびユーザに関するコンテキストデータを含む、ユーザについての登録データを記憶することが可能である。
【００８６】
ユーザ情報−貯金箱システム１１１は、１つまたは複数のコンピューティングデバイス（例えば、図１４に示されるコンピュータシステム）などの処理装置上で実行されるソフトウェア、ハードウェア、またはソフトウェアとハードウェアの組み合わせとして実装されることが可能である。一部の実施例において、ユーザ情報−貯金箱システム１１１は、申出仲介システム１１８を実装するソフトウェアと同一のコンピューティングデバイス上で実行されるソフトウェアを含む。一部の実施例において、ユーザ情報−貯金箱システム１１１と申出仲介システムは、互いにネットワークを介して通信する別々のコンピューティングデバイス上で実行される。
【００８７】
モバイルネットワーク事業者（ＭＮＯ）管理システム
事業者管理システムは、以下のアクティビティをサポートするモバイル事業者のネットワークに対するネットワークインタフェースのセットである。
【００８８】
一部の実施例において、ＭＮＯ管理システムは、システムのユーザを認証するため、およびモバイルデータプランおよび／またはデバイスが、無線ネットワーククレジットの引換に適格であることを検証するために使用されるインタフェースをもたらす。例えば、デバイスを結び付けるためのプロセス、およびそのデバイスが無線ネットワーククレジットの引換に適格であることを検証するためのプロセスが、図４Ａおよび図９に関連して説明される。
【００８９】
一部の実施例において、ＭＮＯ管理システムは、活性のモバイルデータプランに対して貯金箱からの無線ネットワーククレジットを引き換えるために使用されるインタフェースをもたらす。無線ネットワーククレジットは、モバイルデータ割り当てに対してリアルタイムで適用され得る。例えば、無線ネットワーククレジットを引き換えるためのプロセスが、図２、図４Ｂ、および図８に関連して説明される。
【００９０】
一部の実施例において、ＭＮＯ管理システムは、モバイルデータプランの詳細および条件を取り出し、変更するのに使用されるインタフェースをもたらす。また、ＭＮＯ管理システムは、モバイルデータプランに関するリアルタイム残高および使用量情報を取り出すのに使用されることも可能である。
【００９１】
一部の実施例において、ＭＮＯ管理システムは、広告申出のターゲット設定を豊富にするように無線加入者に関するいくつかの属性の問合せを行うのに使用されるインタフェースをもたらす。モバイル事業者は、事業者の顧客と長期にわたって直接の関係を有しており、個人プロフィール、ロケーション、購買力、ならびにコンテンツプリファレンスおよびコンテンツ消費を含むデータへのアクセスをもたらす。モバイル事業者は、事業者の加入者についてのコンテキストデータ、つまり、プリファレンス、デバイス、ロケーション、加入情報および料金請求情報、ならびに関心のキャッシュを抱え込んでいる。このコンテキストデータが、申出仲介システムに関連して前述したとおり、申出選択プロセスを強化するのに使用され得る。この情報は、モバイル事業者を介して匿名で提供されることが可能であり、またはモバイル事業者が、データ共有をオプトインする、もしくはオプトアウトする方法をユーザに提案することが可能である。
【００９２】
一部の実施例において、ＭＮＯ管理システムは、いくつかの操作を実行するようにシステムのユーザにインセンティブを与えるボーナス報酬として配られる無線ネットワーククレジットである、インセンティブ（契約ボーナス、紹介、継続した関与）として使用するためのバルクモバイルデータ帯域幅の獲得を管理するのに使用されるインタフェースをもたらす。サービスプロバイダは、広告申出引換を介して獲得される無線ネットワーククレジットではない無線ネットワーククレジットを獲得し、配るのにＭＮＯに入るインタフェース管理インタフェースを必要とする。
【００９３】
一部の実施例において、ＭＮＯ管理システムは、帯域幅申出と対話し、帯域幅申出を完了するのに使用される量に相当する量の帯域幅をクレジットに交換し加入者に戻すことである、無線ネットワーク使用量をクレジットと交換すること、および料率をゼロにすることを促進する（例えば、申出が、或るビデオを終わりまで見ることである場合、そのビデオ、および関連するメディアアセットをストリーミングすることに関連付けられた使用量は、クレジットに交換されて加入者のデータプランに戻される）。料率ゼロにすることが、前述したとおりＤＰＩベースのシステムを使用して実行されることになった場合、ＭＮＯ管理システムは、トラフィックストリームに印を付けるためにＭＮＯによって展開されるＤＰＩシステムをプロビジョニングするのに要求されるトラフィックシグネチャを収集する。
【００９４】
ＭＮＯ管理システム１１９は、１つまたは複数のコンピューティングデバイス（例えば、図１４に示されるコンピュータシステム）などの処理装置上で実行されるソフトウェア、ハードウェア、またはソフトウェアとハードウェアの組み合わせとして実装されることが可能である。一部の実施例において、ＭＮＯ管理システム１１９は、申出仲介システム１１８を実装するソフトウェアと同一のコンピューティングデバイス上で実行されるソフトウェアを含む。一部の実施例において、ＭＮＯ管理システム１１９と申出仲介システム１１８は、互いにネットワークを介して通信する別々のコンピューティングデバイス上で実行される。
【００９５】
図１１は、ＭＮＯ管理システムによって使用されるデータモデルの例である。ＭＮＯ管理システムデータモデルは、ＭＮＯ管理システムによって、本明細書で説明される技法を実装するのに使用されるデータを効率的に記憶し、そのようなデータにアクセスするのに使用され得る。
【００９６】
図１２は、ＭＮＯ管理システムとモバイルネットワーク事業者の間の例示的なインタフェースを説明する機能図である。ＭＮＯ管理システム１２００とモバイルネットワーク１２０７サブシステムの間の対話、例えば、料金請求データベース、課金データベース、加入者情報データベースが、ＭＮＯのＩＴシステムによって公開される専用のインタフェースのセット１２０６を介して抽象化され得る。ＭＮＯ管理システム１２００とＭＮＯのネットワーク１２０７の間の接続は、仮想プライベートネットワーク（ＶＰＮ）などの、セキュリティで保護された専用のネットワーク接続１２０５であり得る。ＩＴシステムインタフェース１２０６が、ＭＳＩＳＤＮに関連するデータプラン情報を得ること（１２０１）、ＭＳＩＳＤＮに関する現在の使用量情報を取り出すこと（１２０２）、ＭＳＩＳＤＮに関連付けられたデータプランにデータプロモーションを介して適用すること１２０３（クレジットと交換すべき無線クレジットの数として表現された量を送って）、およびトランザクションＩＤでＭＳＩＳＤＮに関連付けられたプロモーションのステータスの問合せを行うこと（１２０４）などの、ＭＮＯ管理システムによって実行されるタスクのためのプログラミングインタフェースをもたらす。
【００９７】
管理−プロビジョニングシステム
管理−プロビジョニングシステム１１２は、モバイル事業者、広告主、およびコンテンツパートナによって、価値交換の条件を構成し、プロビジョニングするのに使用され得る。モバイル事業者は、管理−プロビジョニングシステム１１２を使用して、適格の顧客、および適格のデバイスを指定することが可能である（例えば、適格性条件を定義することによって）。また、モバイル事業者は、管理−プロビジョニングシステム１１２を使用して、引換ポリシー（例えば、料金請求サイクルごとに引き換えられ得る最大限度のｘｘｘメガバイトを設定して、ユーザの無線料金請求書上の当座貸しとしてのデータクレジットの引換を可能にする）を定義することも可能である。一部の実施例として、管理−プロビジョニングシステム１１２は、モバイル事業者によって、顧客ケア作業および料金請求を促進するのに使用され得る。一部の実施例において、広告主およびコンテンツパートナが、管理−プロビジョニングシステム１１２を使用して、スポンサキャンペーンの条件、ターゲットに定められた人口構成を定義し、重要なパフォーマンスおよび解析１３０を監視することが可能である。
【００９８】
管理−プロビジョニングシステム１１２は、１つまたは複数のコンピューティングデバイス（例えば、図１４に示されるコンピュータシステム）などの処理装置上で実行されるソフトウェア、ハードウェア、またはソフトウェアとハードウェアの組み合わせとして実装されることが可能である。一部の実施例において、管理−プロビジョニングシステム１１２は、申出仲介システム１１８を実装するソフトウェアと同一のコンピューティングデバイス上で実行されるソフトウェアを含む。一部の実施例において、管理−プロビジョニングシステム１１２と申出仲介システム１１８は、互いにネットワークを介して通信する別々のコンピューティングデバイス上で実行される。
【００９９】
図１４は、本明細書で説明される技法を実施するのに使用され得る一般的なコンピュータデバイス１４００および一般的なモバイルコンピュータデバイス１４５０の例を示す。コンピューティングデバイス１４００は、ラップトップ、デスクトップ、ワークステーション、携帯情報端末、サーバ、ブレードサーバ、メインフレーム、および他の適切なコンピュータなどの様々な形態のデジタルコンピュータを表すことを意図している。コンピューティングデバイス１４５０は、携帯情報端末、セルラ電話機、スマートフォン、および他の類似したコンピューティングデバイスなどの様々な形態のモバイルデバイスを表すことを意図している。本明細書で示される構成要素、それらの構成要素の接続および関係、ならびにそれらの構成要素の機能は、単に例示的であることを意図しており、本明細書で説明され、および／または主張される本発明の実施例を限定することは意図していない。
【０１００】
コンピューティングデバイス１４００は、プロセッサ１４０２と、メモリ１４０４と、ストレージデバイス１４０６と、メモリ１４０４および高速拡張ポート１４１０に接続される高速インタフェース１４０８と、低速バス１４１４およびストレージデバイス１４０６に接続される低速インタフェース１４１２とを含む。構成要素１４０２、１４０４、１４０６、１４０８、１４１０、および１４１２のそれぞれは、様々なバスを使用して互いに接続され、さらに共通のマザーボード上に、または適宜、他の様態で実装されることが可能である。プロセッサ１４０２は、メモリ１４０４の中に、またはストレージデバイス１４０６上に記憶された命令を含め、コンピューティングデバイス１４００内で実行するための命令を処理して、高速インタフェース１４０８に結合されたディスプレイ１４１６などの、外部入出力デバイス上のＧＵＩのためのグラフィック情報を表示することができる。他の実施例において、複数のプロセッサ、および／または複数のバスが、適宜、複数のメモリ、および複数のタイプのメモリと一緒に使用されてもよい。さらに、複数のコンピューティングデバイス１４００が、各デバイスが必要な動作の部分をもたらして、接続されてもよい（例えば、サーババンク、グループのブレードサーバ、またはマルチプロセッサシステムとして）。
【０１０１】
メモリ１４０４は、コンピューティングデバイス１４００内の情報を記憶する。一実施例において、メモリ１４０４は、揮発性メモリユニットまたは複数の揮発性メモリユニットである。別の実施例において、メモリ１４０４は、不揮発性メモリユニットまたは複数の不揮発性メモリユニットである。また、メモリ１４０４は、磁気ディスクまたは光ディスクなどの別の形態のコンピュータ可読媒体であることも可能である。
【０１０２】
ストレージデバイス１４０６は、コンピューティングデバイス１４００に関する大容量ストレージをもたらすことができる。一実施例において、ストレージデバイス１４０６は、フロッピー（登録商標）ディスクデバイス、ハードディスクデバイス、光ディスクデバイス、またはテープデバイス、フラッシュメモリもしくは他の類似したソリッドステートメモリデバイス、またはストレージエリアネットワーク構成もしくは他の構成におけるデバイスを含むデバイスのアレイなどのコンピュータ可読媒体であること、またはそのようなコンピュータ可読媒体を包含することが可能である。コンピュータプログラム製品が、情報キャリアとし明白に実体化され得る。このコンピュータプログラム製品は、実行されたとき、前述した方法などの１つまたは複数の方法を実行する命令を包含することも可能である。情報キャリアは、メモリ１４０４、ストレージデバイス１４０６、プロセッサ上のメモリ１４０２、または伝搬される信号などのコンピュータ可読媒体または機械可読媒体である。
【０１０３】
高速コントローラ１４０８が、コンピューティングデバイス１４００に関する帯域幅を多く使用する動作を管理する一方で、低速コントローラ１４１２は、それほど帯域幅を多く使用しない動作を管理する。機能のそのような割り当ては、例示的であるに過ぎない。一実施例において、高速コントローラ１４０８は、メモリ１４０４、ディスプレイ１４１６（例えば、グラフィックスプロセッサまたはアクセラレータを介して）、および高速拡張ポート１４１０に結合され、高速拡張ポート１４１０は、様々な拡張カード（図示せず）を受け入れることが可能である。この実施例において、低速コントローラ１４１２は、ストレージデバイス１４０６および低速拡張ポート１４１４に結合される。様々な通信ポート（例えば、ＵＳＢ、Ｂｌｕｅｔｏｏｔｈ（登録商標）、イーサネット（登録商標）、無線イーサネット）を含み得る低速拡張ポートが、例えば、ネットワークアダプタを介して、キーボード、ポインティングデバイス、スキャナ、または、例えば、スイッチまたはルータなどのネットワーキングデバイスなどの１つまたは複数の入出力デバイスに結合され得る。
【０１０４】
コンピューティングデバイス１４００は、図に示される、いくつかの異なる形態で実装され得る。例えば、コンピューティングデバイス１４００は、標準のサーバ１４２０として、またはそのようなサーバのグループの中で複数回、実装されることが可能である。さらに、コンピューティングデバイス１４００は、ラックサーバシステム１４２４の一部として実装されることも可能である。さらに、コンピューティングデバイス１４００は、ラップトップコンピュータ１４２２などのパーソナルコンピュータとして実装されてもよい。代替として、コンピューティングデバイス１４００からの構成要素は、デバイス１４５０のようなモバイルデバイス（図示せず）における他の構成要素と組み合わされてもよい。そのようなデバイスのそれぞれが、コンピューティングデバイス１４００、１４５０のうちの１つまたは複数を包含することが可能であり、さらにシステム全体が、互いに通信する複数のコンピューティングデバイス１４００、１４５０からなることが可能である。
【０１０５】
コンピューティングデバイス１４５０は、他の構成要素以外にもとりわけ、プロセッサ１４５２と、メモリ１４６４と、ディスプレイなどの入出力デバイス１４５４と、通信インタフェース１４６６と、トランシーバ１４６８とを含む。さらに、デバイス１４５０は、さらなるストレージをもたらす、マイクロドライブまたは他のデバイスなどのストレージデバイスを備えることも可能である。構成要素１４５０、１４５２、１４６４、１４５４、１４６６、および１４６８のそれぞれは、様々なバスを使用して互いに接続され、さらにこれらの構成要素のうちのいくつかは、共通のマザーボード上に、または適宜、他の様態で実装されることが可能である。
【０１０６】
プロセッサ１４５２は、メモリ１４６４の中に記憶された命令を含め、コンピューティングデバイス１４５０内で命令を実行することが可能である。このプロセッサは、別々の複数のアナログプロセッサおよびデジタルプロセッサを含むチップのチップセットとして実装され得る。このプロセッサは、例えば、ユーザインタフェースの制御、デバイス１４５０によって実行されるアプリケーション、およびデバイス１４５０による無線通信などの、デバイス１４５０の他の構成要素の協調をもたらすことが可能である。
【０１０７】
プロセッサ１４５２は、ディスプレイ１４５４に結合された制御インタフェース１４５８およびディスプレイインタフェース１４５６を介してユーザと通信することが可能である。ディスプレイ１４５４は、例えば、ＴＦＴ  ＬＣＤ（薄膜トランジスタ液晶ディスプレイ）もしくはＯＬＥＤ（有機発光ダイオード）ディスプレイ、または他の適切なディスプレイ技術であり得る。ディスプレイインタフェース１４５６は、グラフィック情報および他の情報をユーザに提示するようにディスプレイ１４５４を駆動するための適切な回路をからなることが可能である。制御インタフェース１４５８は、ユーザからコマンドを受け取り、それらのコマンドを、プロセッサ１４５２に渡す（サブミットする）ために変換することが可能である。さらに、プロセッサ１４５２と通信状態にある外部インタフェース１４６２が設けられて、デバイス１４５０の、他のデバイスとの近距離通信を可能にしてもよい。外部インタフェース１４６２は、例えば、一部の実施例において有線通信をもたらすことが可能であり、または他の実施例において無線通信をもたらすことが可能であり、さらに複数のインタフェースが使用されることも可能である。
【０１０８】
メモリ１４６４は、コンピューティングデバイス１４５０内の情報を記憶する。メモリ１４６４は、コンピュータ可読媒体もしくは複数のコンピュータ可読媒体、揮発性メモリユニットもしくは複数の揮発性メモリユニット、または不揮発性メモリユニットもしくは複数の不揮発性メモリユニットのうちのいずれか、または複数として実装され得る。
【０１０９】
拡張メモリ１４７４が、さらに備えられて、例えば、ＳＩＭＭ（シングルインラインメモリモジュール）カードインタフェースを含み得る拡張インタフェース１４７２を介してデバイス１４５０に接続されることが可能である。そのような拡張メモリ１４７４は、デ
バイス１４５０に関する追加の記憶スペースをもたらすことが可能であり、またはデバイス１４５０のためにアプリケーションもしくは他の情報を記憶することも可能である。具体的には、拡張メモリ１４７４は、前述したプロセスを実行する、または補足する命令を含むことが可能であり、さらにセキュリティで保護された情報を含むことも可能である。このため、例えば、拡張メモリ１４７４は、デバイス１４５０のためのセキュリティモジュールとして備えられることが可能であり、さらにデバイス１４５０のセキュリティで保護された使用を許す命令がプログラミングされることが可能である。さらに、セキュリティで保護されたアプリケーションが、ハッキング不能な様態でＳＩＭＭカード上に識別する情報を置くなど、さらなる情報とともに、ＳＩＭＭカードを介して提供されることが可能である。
【０１１０】
このメモリには、例えば、以下に説明されるとおり、フラッシュメモリおよび／またはＮＶＲＡＭメモリが含まれることが可能である。一実施例において、コンピュータプログラム製品が、情報キャリアとし明白に実体化され得る。このコンピュータプログラム製品は、実行されたとき、前述した方法などの１つまたは複数の方法を実行する命令を包含する。情報キャリアは、メモリ１４６４、拡張メモリ１４７４、プロセッサ上のメモリ１４５２、または、例えば、トランシーバ１４６８もしくは外部インタフェース１４６２を介して受信され得る伝搬される信号などのコンピュータ可読媒体または機械可読媒体である。
【０１１１】
デバイス１４５０は、必要な場合、デジタル信号処理回路を含み得る通信インタフェース１４６６を介して無線で通信することが可能である。通信インタフェース１４６６は、とりわけ、ＧＳＭ（登録商標）音声通話、ＳＭＳメッセージング、ＥＭＳメッセージング、もしくはＭＭＳメッセージング、ＣＤＭＡ、ＴＤＭＡ、ＰＤＣ、ＷＣＤＭＡ（登録商標）、ＣＤＭＡ２０００、またはＧＰＲＳなどの様々なモードまたはプロトコルの下で通信をもたらすことが可能である。そのような通信は、例えば、無線周波数トランシーバ１４６８を介して行われ得る。さらに、短距離通信が、Ｂｌｕｅｔｏｏｔｈ、ＷｉＦｉ、または他のそのようなトランシーバ（図示せず）を使用するなどして、行われ得る。さらに、ＧＰＳ（全地球測位システム）受信機モジュール１４７０が、デバイス１４５０上で実行されているアプリケーションによって適宜、使用され得る、さらなるナビゲーション関連およびロケーション関連の無線データをデバイス１４５０に供給することが可能である。
【０１１２】
また、デバイス１４５０は、ユーザから口頭の情報を受け取り、その情報を使用可能なデジタル情報に変換することが可能なオーディオコーデック１４６０を使用して聞こえるように通信することも可能である。オーディオコーデック１４６０は同様に、例えば、デバイス１４５０のヘッドセット内の、スピーカを介するなどして、ユーザのために可聴のサウンドを生成することも可能である。そのようなサウンドは、音声電話通話からのサウンドを含むことが可能であり、記録されたサウンド（例えば、音声メッセージ、音楽ファイルなど）を含むことが可能であり、さらにデバイス１４５０上で動作するアプリケーションによって生成されたサウンドを含むことも可能である。
【０１１３】
コンピューティングデバイス１４５０は、図に示されるとおり、いくつかの異なる形態で実装され得る。例えば、コンピューティングデバイス１４５０は、セルラ電話機１４８０として実装されることが可能である。さらに、コンピューティングデバイス１４５０は、スマートフォン１４８２、携帯情報端末、または他の類似したモバイルデバイスの一部として実装されることも可能である。
【０１１４】
本明細書において、我々が、以下の用語を使用した場合、我々は、以下に示唆されるとおり、広い意味でそれらの用語を使用してきた。
【０１１５】
【表１】
2015520454.tif 000003
2015520454.tif 000004
本明細書で説明されるシステムおよび技法の様々な実施例は、デジタル電子回路、集積回路、特別に設計されたＡＳＩＣ（特定用途向け集積回路）、コンピュータハードウェア、ファームウェア、ソフトウェア、および／または以上の組み合わせとして実現され得る。これらの様々な実施例は、ストレージシステム、および少なくとも１つの出力デバイスからデータおよび命令を受信するように、さらに少なくとも１つの入力デバイスにデータおよび命令を送信するように結合された、専用であっても、汎用であってもよい、少なくとも１つのプログラマブルプロセッサを含むプログラマブルシステム上で実行可能であり、および／または解釈可能である１つまたは複数のコンピュータプログラムとしての実装を含み得る。
【０１１６】
これらのコンピュータプログラム（プログラム、ソフトウェア、ソフトウェアアプリケ
ーション、またはコードとしても知られる）は、プログラマブルプロセッサに関する機械命令を含み、高レベルのプロシージャプログラマブル言語および／またはオブジェクト指向プログラマブル言語で、および／またはアセンブリ言語／機械語で実装され得る。本明細書で使用される、「機械可読媒体」および「コンピュータ可読媒体」という用語は、機械命令を機械可読信号として受け取る機械可読媒体を含む、プログラマブルプロセッサに機械命令および／またはデータを供給するのに使用される任意のコンピュータプログラム製品、装置、および／またはデバイス（例えば、磁気ディスク、光ディスク、メモリ、プログラマブルロジックデバイス（ＰＬＤ））を指す。「機械可読信号」という用語は、プログラマブルプロセッサに機械命令および／またはデータを供給するのに使用される任意の信号を指す。
【０１１７】
ユーザとの対話を可能にするのに、本明細書で説明されるシステムおよび技法は、ユーザに情報を表示するためのディスプレイデバイス（例えば、ＣＲＴ（陰極線管）モニタまたはＬＣＤ（液晶ディスプレイ）モニタ）、ならびにユーザがコンピュータに入力を与えることができるキーボードおよびポインティングデバイス（例えば、マウスまたはトラックボール）を有するコンピュータ上で実装され得る。ユーザとの対話を可能にするのに他の種類のデバイスが使用されることも可能であり、例えば、ユーザに与えられるフィードバックは、任意の形態の知覚フィードバック（例えば、視覚的フィードバック、聴覚フィードバック、または触覚フィードバック）であることが可能であり、ユーザからの入力は、音響入力、音声入力、または触覚入力を含め、任意の形態で受け取られることが可能である。
【０１１８】
本明細書で説明されるシステムおよび技法は、バックエンド構成要素を含むコンピューティングシステム（例えば、データサーバとして）、またはミドルウェア構成要素を含むコンピューティングシステム（例えば、アプリケーションサーバとして）、またはフロントエンド構成要素を含むコンピューティングシステム（例えば、ユーザが、本明細書で説明されるシステムおよび技法の実装例と対話することができるグラフィカルユーザインタフェースまたはウェブブラウザを有するクライアントコンピュータ）、またはそのようなバックエンド構成要素、ミドルウェア構成要素、もしくはフロントエンド構成要素の任意の組み合わせを含むコンピューティングシステムとして実装され得る。このシステムの構成要素は、任意の形態または任意の媒体のデジタルデータ通信（例えば、通信ネットワーク）によって互いに接続され得る。通信ネットワークの例には、ローカルエリアネットワーク（「ＬＡＮ」）、ワイドエリアネットワーク（「ＷＡＮ」）、およびインターネットが含まれる。
【０１１９】
コンピューティングシステムは、クライアントとサーバを含み得る。クライアントとサーバは、一般に、互いに離れており、通常、通信ネットワークを介して対話する。クライアントとサーバの関係は、それぞれのコンピュータ上で実行され、互いにクライアント−サーバ関係を有するコンピュータプログラムにより成立する。
【０１２０】
図に示される論理フローは、望ましい結果を実現するのに、示される特定の順序も、順次の順序も要求しない。さらに、他のステップが設けられることも、説明されるフローからステップが省かれることも可能であり、さらに説明されるシステムに他の構成要素が追加されることも、それらのシステムから構成要素が取り除かれることも可能である。
【０１２１】
他の実施形態が、添付の特許請求の範囲に含まれる。
【図１Ａ】
2015520454.tif 000005
【図１Ｂ】
2015520454.tif 000006
【図２】
2015520454.tif 000007
【図３】
2015520454.tif 000008
【図４Ａ】
2015520454.tif 000009
【図４Ｂ】
2015520454.tif 000010
【図５】
2015520454.tif 000011
【図６】
2015520454.tif 000012
【図７Ａ】
2015520454.tif 000013
【図７Ｂ】
2015520454.tif 000014
【図８Ａ】
2015520454.tif 000015
【図８Ｂ】
2015520454.tif 000016
【図８Ｃ】
2015520454.tif 000017
【図９Ａ】
2015520454.tif 000018
【図９Ｂ】
2015520454.tif 000019
【図９Ｃ】
2015520454.tif 000020
【図９Ｄ】
2015520454.tif 000021
【図１０Ａ】
2015520454.tif 000022
【図１０Ｂ】
2015520454.tif 000023
【図１０Ｃ】
2015520454.tif 000024
【図１０Ｄ】
2015520454.tif 000025
【図１０Ｅ】
2015520454.tif 000026
【図１１Ａ】
2015520454.tif 000027
【図１１Ｂ】
2015520454.tif 000028
【図１１Ｃ】
2015520454.tif 000029
【図１２】
2015520454.tif 000030
【図１３Ａ】
2015520454.tif 000031
【図１３Ｂ】
2015520454.tif 000032
【図１３Ｃ】
2015520454.tif 000033
【図１３Ｄ】
2015520454.tif 000034
【図１３Ｅ】
2015520454.tif 000035
【図１４】
2015520454.tif 000036
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
コンピュータ実装された方法であって、
無線ネットワーククレジットに関する申出に関連付けられたコンテンツアイテムを受信するステップであって、前記無線ネットワーククレジットは、１以上の従量制無線ネットワークの無料または割引のデータ使用量と引換可能である、受信ステップと、
選択入力に応答して、前記コンテンツアイテムをユーザに提示する、提示ステップと、
前記コンテンツアイテムの提示を反映するデータをリモートサーバに送信するステップによって、前記リモートサーバが、モバイルブロードバンドクレジットを口座に追加する、送信ステップとを含む、方法。
【請求項２】
無線ネットワーク事業者サーバによって前記口座における無線ネットワーククレジットの前記引換を生じさせるデータを、リモートサーバに送信するステップをさらに含む、請求項１に記載の方法。
【請求項３】
前記無線ネットワーククレジットは、既存の無線ネットワークデータプランの料金の割引として引き換えられる、請求項２に記載の方法。
【請求項４】
前記口座から、異なるユーザに関連付けられた第２の口座への無線ネットワーククレジットの移転を生じさせるデータを、リモートサーバに送信するステップをさらに含む、請求項１に記載の方法。
【請求項５】
前記無線ネットワーククレジットの移転は、ソーシャルネットワークによって促進される、請求項４に記載の方法。
【請求項６】
前記コンテンツアイテムは、登録フォームを含み、無線モバイルクレジットの申出は、登録トランザクションの完了を条件とする、請求項１に記載の方法。
【請求項７】
前記コンテンツアイテムは、評価フォームまたはコメントフォームを含み、無線モバイルクレジットの申出は、コメントまたは評価の提出を条件とする、請求項１に記載の方法。
【請求項８】
無線ネットワークデータプランの使用量を監視するステップをさらに含む、請求項１に記載の方法。
【請求項９】
前記無線ネットワークデータプランの使用量がしきい値を超えたことが検出されるに際し、無線ネットワーク事業者サーバによって前記口座における無線ネットワーククレジットの前記引換を生じさせるデータを、リモートサーバに自動的に送信するステップをさらに含む、請求項８に記載の方法。
【請求項１０】
前記無線ネットワークデータプランの使用量がしきい値を超えたことが検出されるに際し、前記無線ネットワークデータプランにおける無線ネットワーククレジットの引換を示唆するアラートメッセージを提示するステップをさらに含む、請求項８に記載の方法。
【請求項１１】
前記コンテンツアイテムは、従量制無線ネットワークを介して受信され、前記コンテンツアイテムを受信するのに要求されるデータ使用量は、無料である、請求項１に記載の方法。
【請求項１２】
前記提示ステップは、前記コンテンツアイテム遠隔デバイスを表示するブラウザを実行している遠隔デバイスにネットワークを介して、前記コンテンツアイテムを指定するデータを送信するステップを含む、請求項１に記載の方法。
【請求項１３】
１以上の処理デバイスによって実行されるコンピュータ実装された方法であって、
いくつかのコンテンツアイテムを指定するデータを１以上のリモートサーバから受信するステップであって、各コンテンツアイテムは、無線ネットワーククレジットに関する申出に関連付けられ、前記無線ネットワーククレジットは、１以上の従量制無線ネットワークの無料または割引のデータ使用量と引換可能である、ステップと、
前記申出のうちの１以上の申出をユーザに提示するために選択するステップと、
選択された前記１以上の申出を反映するデータを第１のユーザデバイスに送信するステップとを含む、方法。
【請求項１４】
前記いくつかのコンテンツアイテムのうちの１つに関連付けられた入札を、無線ネットワーククレジットに関する申出に転換するための転換率を決定するステップをさらに含む、請求項１３に記載の方法。
【請求項１５】
前記コンテンツアイテムの提示を反映するデータを前記第１のユーザデバイスから受信するステップと、
前記コンテンツアイテムに関連付けられた申出のモバイルブロードバンドクレジットを口座に追加するステップとをさらに含む、請求項１３に記載の方法。
【請求項１６】
第２のコンテンツアイテムの提示を反映するデータを第２のユーザデバイスから受信するステップと、
前記第２のコンテンツアイテムに関連付けられた申出の前記モバイルブロードバンドクレジットを口座に追加するステップとをさらに含む、請求項１５に記載の方法。
【請求項１７】
前記ユーザに無線ネットワークデータプランを提供する無線ネットワークプロバイダから前記ユーザについてのコンテキストデータを受信するステップをさらに含む、請求項１３に記載の方法。
【請求項１８】
前記ユーザに提示するための申出の選択は、前記ユーザについての前記コンテキストデータに基づく、請求項１７に記載の方法。
【請求項１９】
前記１以上の申出は、前記リモートサーバのうちの１つから受信されたキャンペーンパラメータに部分的に基づいて選択される、請求項１３に記載の方法。
【請求項２０】
モバイルネットワーク事業者に関する引換ポリシーであって、前記モバイルネットワーク事業者によって提供されるモバイルデータプランにおいて引き換えられるクレジットの量の制限を含む引換ポリシーを定義するパラメータを受信するステップをさらに含む、請求項１３に記載の方法。
【請求項２１】
前記第１のユーザデバイスが、無線ネットワーククレジットを引き換えるために適格であることを検証するステップをさらに含む、請求項１３に記載の方法。
【国際調査報告】
2015520454.tif 000037
2015520454.tif 000038
2015520454.tif 000039
2015520454.tif 000040